(57)【特許請求の範囲】
【請求項１】
無線通信システムにおいてプライマリセルとセカンダリセルとを含む複数のサービングセルが構成された端末（ＵＥ）によって上りリンク制御情報を伝送する方法であって、
前記端末が、基地局（ＢＳ）から、所定のＰＵＣＣＨフォーマットに対応する、ＲＲＣ（Ｒａｄｉｏ Ｒｅｓｏｕｒｃｅ Ｃｏｎｔｒｏｌ）層により構成されたＰＵＣＣＨ（Ｐｈｙｓｉｃａｌ Ｕｐｌｉｎｋ Ｃｏｎｔｒｏｌ Ｃｈａｎｎｅｌ）リソースの第１セットの少なくとも１つのＰＵＣＣＨリソースを指示する情報をＳＰＳ（Ｓｅｍｉ Ｐｅｒｓｉｓｔｅｎｔ Ｓｃｈｅｄｕｌｉｎｇ）活性化ＰＤＣＣＨ（Ｐｈｙｓｉｃａｌ Ｄｏｗｎｌｉｎｋ Ｃｏｎｔｒｏｌ Ｃｈａｎｎｅｌ）を通じて受信し、
前記ＳＰＳ活性化ＰＤＣＣＨを受信した後、前記端末が、前記基地局から、ＳＰＳ ＰＤＳＣＨ（Ｐｈｙｓｉｃａｌ Ｄｏｗｎｌｉｎｋ Ｓｈａｒｅｄ Ｃｈａｎｎｅｌ）を、対応するＰＤＣＣＨを受信せずに前記プライマリセルで受信し、
前記端末が、前記プライマリセルで受信した前記ＳＰＳ ＰＤＳＣＨに対応するＨＡＲＱ−ＡＣＫ（Ｈｙｂｒｉｄ Ａｕｔｏｍａｔｉｃ Ｒｅｐｅａｔ ｒｅＱｕｅｓｔ−Ａｃｋｎｏｗｌｅｄｇｅｍｅｎｔ）応答を生成し、
前記端末が、前記基地局へ、前記プライマリセルが最大１つの伝送ブロックの送信を支援する第１の伝送モードに設定された場合に、前記ＳＰＳ活性化ＰＤＣＣＨによって指示されたリソースを含むＰＵＣＣＨリソースの第２セットの１つを用いて前記ＨＡＲＱ−ＡＣＫ応答に対応する２ビットを送信し、
前記端末が、前記基地局へ、前記プライマリセルが最大２つの伝送ブロックの送信を支援する第２の伝送モードに設定された場合に、前記ＳＰＳ活性化ＰＤＣＣＨによって指示されたリソースを含むＰＵＣＣＨリソースの前記第２セットの１つ及び前記ＳＰＳ活性化ＰＤＣＣＨによって指示されたリソースに関連する他の１つのリソースを用いて前記ＨＡＲＱ−ＡＣＫ応答に対応する前記２ビットを送信することを含む、方法。
【請求項２】
前記所定のＰＵＣＣＨフォーマットはＰＵＣＣＨフォーマット１ｂである、請求項１に記載の方法。
【請求項３】
前記の少なくとも１つのＰＵＣＣＨリソースを指示する情報は単一値を指示し、
前記プライマリセルが前記第１の伝送モードに設定されている場合は、前記単一値に基づく、前記第１セットのＰＵＣＣＨリソースのうちの単一のＰＵＣＣＨリソースが前記ＨＡＲＱ−ＡＣＫ応答の伝送に使用され、前記プライマリセルが前記第２の伝送モードに設定されている場合は、前記単一値に基づく、前記第１セットのＰＵＣＣＨリソースのうちの一対のＰＵＣＣＨリソースが前記ＨＡＲＱ−ＡＣＫ応答の伝送に使用される、請求項１に記載の方法。
【請求項４】
さらに、前記セカンダリセルによってＰＤＳＣＨを受信し、
前記セカンダリセルによって受信した前記ＰＤＳＣＨに対応するＨＡＲＱ−ＡＣＫ応答を生成することを含み、
伝送された前記２ビットは、前記セカンダリセルによって受信された前記ＰＤＳＣＨに対応する前記ＨＡＲＱ−ＡＣＫ応答及び前記プライマリセルによって受信された前記ＳＰＳ ＰＤＳＣＨに対応する前記ＨＡＲＱ−ＡＣＫ応答の両者に対応する、請求項１に記載の方法。
【請求項５】
前記セカンダリセルによって受信された前記ＰＤＳＣＨに対応する前記ＨＡＲＱ−ＡＣＫ応答、前記プライマリセルによって受信された前記ＳＰＳ ＰＤＳＣＨに対応する前記ＨＡＲＱ−ＡＣＫ応答、前記第２セットのＰＵＣＣＨリソース、及び伝送された前記２ビットの間の関係は、表（１）に示す関係を含み、
【表１】
0005926276.tif 000019
ＨＡＲＱ−ＡＣＫ（０）、ＨＡＲＱ−ＡＣＫ（１）及びＨＡＲＱ−ＡＣＫ（２）は、前記セカンダリセルによって受信された前記ＰＤＳＣＨに対応する前記ＨＡＲＱ−ＡＣＫ応答、及び前記プライマリセルによって受信された前記ＳＰＳ ＰＤＳＣＨに対応する前記ＨＡＲＱ−ＡＣＫ応答を示し、ｎ(1)PUCCH,i（ｉ＝０，１，２）は、第２セットのＰＵＣＣＨを意味し、ｂ（０）ｂ（１）は伝送された前記２ビットを意味し、
前記プライマリセルが前記第１の伝送モードに設定されている場合は、ｎ(1)PUCCH,i（ｉ＝２）は、前記ＳＰＳ活性化ＰＤＣＣＨによって受信された情報によって指示されたリソースであり、
前記プライマリセルが前記第２の伝送モードに設定されている場合は、ｎ(1)PUCCH,i（ｉ＝０）は、前記ＳＰＳ活性化ＰＤＣＣＨによって受信された情報によって指示されたリソースであり、ｎ(1)PUCCH,i（ｉ＝１）は他の１つのリソースである、請求項４に記載の方法。
【請求項６】
前記セカンダリセルによって受信された前記ＰＤＳＣＨに対応する前記ＨＡＲＱ−ＡＣＫ応答、前記プライマリセルによって受信された前記ＳＰＳ ＰＤＳＣＨに対応する前記ＨＡＲＱ−ＡＣＫ応答、前記第２セットのＰＵＣＣＨリソース、及び伝送された前記２ビットの間の関係は、表（２）に示す関係を含み、
【表２】
0005926276.tif 000020
ＨＡＲＱ−ＡＣＫ（０）、ＨＡＲＱ−ＡＣＫ（１）、ＨＡＲＱ−ＡＣＫ（２）及びＨＡＲＱ−ＡＣＫ（３）は、前記セカンダリセルによって受信された前記ＰＤＳＣＨに対応する前記ＨＡＲＱ−ＡＣＫ応答、及び前記プライマリセルによって受信された前記ＳＰＳ ＰＤＳＣＨに対応する前記ＨＡＲＱ−ＡＣＫ応答を示し、ｎ(1)PUCCH,i（ｉ＝０，１，２，３）は、前記第２セットのＰＵＣＣＨリソースを意味し、ｂ（０）ｂ（１）は伝送された前記２ビットを意味し、
前記プライマリセルが前記第２の伝送モードに設定されている場合は、ｎ(1)PUCCH,i（ｉ＝０）は、前記ＳＰＳ活性化ＰＤＣＣＨによって受信された情報によって指示されたリソースであり、ｎ(1)PUCCH,i（ｉ＝１）は他の１つのリソースである、請求項４に記載の方法。
【請求項７】
ｎ(1)PUCCH,i（ｉ＝２，３）は、前記ＲＲＣ層により構成された第３セットのＰＵＣＣＨフォーマット１ｂリソースインデックスを用いて提供される、請求項６に記載の方法。
【請求項８】
前記情報は、前記ＳＰＳ活性化ＰＤＣＣＨのＴＰＣ（Ｔｒａｎｓｍｉｔ Ｐｏｗｅｒ Ｃｏｎｔｒｏｌ）フィールドを通じて受信される、請求項１に記載の方法。
【請求項９】
プライマリセルとセカンダリセルとを含む複数のサービングセルで構成され、無線通信システムにおいて上りリンク制御情報を伝送する端末（ＵＥ）であって、
無線周波数（Ｒａｄｉｏ Ｆｒｅｑｕｅｎｃｙ、ＲＦ）ユニットと、
前記ＲＦユニットと動作可能なように接続されたプロセッサと、を備え、
前記プロセッサは、
基地局（ＢＳ）から、所定のＰＵＣＣＨフォーマットに対応する、ＲＲＣ（Ｒａｄｉｏ Ｒｅｓｏｕｒｃｅ Ｃｏｎｔｒｏｌ）層により構成されたＰＵＣＣＨ（Ｐｈｙｓｉｃａｌ Ｕｐｌｉｎｋ Ｃｏｎｔｒｏｌ Ｃｈａｎｎｅｌ）リソースの第１セットの少なくとも１つのＰＵＣＣＨリソースを指示する情報をＳＰＳ（Ｓｅｍｉ Ｐｅｒｓｉｓｔｅｎｔ Ｓｃｈｅｄｕｌｉｎｇ）活性化ＰＤＣＣＨ（Ｐｈｙｓｉｃａｌ Ｄｏｗｎｌｉｎｋ Ｃｏｎｔｒｏｌ Ｃｈａｎｎｅｌ）を通じて受信し、
前記ＳＰＳ活性化ＰＤＣＣＨを受信した後、前記基地局から、ＳＰＳ ＰＤＳＣＨ（Ｐｈｙｓｉｃａｌ Ｄｏｗｎｌｉｎｋ Ｓｈａｒｅｄ Ｃｈａｎｎｅｌ）を、対応するＰＤＣＣＨを受信せずに前記プライマリセルで受信し、
前記プライマリセルで受信した前記ＳＰＳ ＰＤＳＣＨに対応するＨＡＲＱ−ＡＣＫ（Ｈｙｂｒｉｄ Ａｕｔｏｍａｔｉｃ Ｒｅｐｅａｔ ｒｅＱｕｅｓｔ−Ａｃｋｎｏｗｌｅｄｇｅｍｅｎｔ）応答を生成し、
前記基地局へ、前記プライマリセルが最大１つの伝送ブロックの送信を支援する第１の伝送モードに設定された場合に、前記ＳＰＳ活性化ＰＤＣＣＨによって指示されたリソースを含むＰＵＣＣＨリソースの第２セットの１つを用いて前記ＨＡＲＱ−ＡＣＫ応答に対応する２ビットを送信し、
前記基地局へ、前記プライマリセルが最大２つの伝送ブロックの送信を支援する第２の伝送モードに設定された場合に、前記ＳＰＳ活性化ＰＤＣＣＨによって指示されたリソースを含むＰＵＣＣＨリソースの前記第２セットの１つ及び前記ＳＰＳ活性化ＰＤＣＣＨによって指示されたリソースに関連する他の１つのリソースを用いて前記ＨＡＲＱ−ＡＣＫ応答に対応する前記２ビットを送信する、端末。
【請求項１０】
前記所定のＰＵＣＣＨフォーマットはＰＵＣＣＨフォーマット１ｂである、請求項９に記載の端末。
【請求項１１】
前記の少なくとも１つのＰＵＣＣＨリソースを指示する情報は単一値を指示し、
前記プライマリセルが前記第１の伝送モードに設定されている場合は、前記単一値に基づく、前記第１セットのＰＵＣＣＨリソースのうちの単一のＰＵＣＣＨリソースが前記ＨＡＲＱ−ＡＣＫ応答の伝送に使用され、前記プライマリセルが前記第２の伝送モードに設定されている場合は、前記単一値に基づく、前記第１セットのＰＵＣＣＨリソースのうちの一対のＰＵＣＣＨリソースが前記ＨＡＲＱ−ＡＣＫ応答の伝送に使用される、請求項９に記載の端末。
【請求項１２】
さらに、前記セカンダリセルによってＰＤＳＣＨを受信し、
前記セカンダリセルによって受信した前記ＰＤＳＣＨに対応するＨＡＲＱ−ＡＣＫ応答を生成し、
伝送された前記２ビットは、前記セカンダリセルによって受信された前記ＰＤＳＣＨに対応する前記ＨＡＲＱ−ＡＣＫ応答及び前記プライマリセルによって受信された前記ＳＰＳ ＰＤＳＣＨに対応する前記ＨＡＲＱ−ＡＣＫ応答の両者に対応する、請求項９に記載の端末。
【請求項１３】
前記セカンダリセルによって受信された前記ＰＤＳＣＨに対応する前記ＨＡＲＱ−ＡＣＫ応答、前記プライマリセルによって受信された前記ＳＰＳ ＰＤＳＣＨに対応する前記ＨＡＲＱ−ＡＣＫ応答、前記第２セットのＰＵＣＣＨリソース、及び伝送された前記２ビットの間の関係は、表（１）に示す関係を含み、
【表３】
0005926276.tif 000021
ＨＡＲＱ−ＡＣＫ（０）、ＨＡＲＱ−ＡＣＫ（１）及びＨＡＲＱ−ＡＣＫ（２）は、前記セカンダリセルによって受信された前記ＰＤＳＣＨに対応する前記ＨＡＲＱ−ＡＣＫ応答、及び前記プライマリセルによって受信された前記ＳＰＳ ＰＤＳＣＨに対応する前記ＨＡＲＱ−ＡＣＫ応答を示し、ｎ(1)PUCCH,i（ｉ＝０，１，２）は、第２セットのＰＵＣＣＨを意味し、ｂ（０）ｂ（１）は伝送された前記２ビットを意味し、
前記プライマリセルが前記第１の伝送モードに設定されている場合は、ｎ(1)PUCCH,i（ｉ＝２）は、前記ＳＰＳ活性化ＰＤＣＣＨによって受信された情報によって指示されたリソースであり、
前記プライマリセルが前記第２の伝送モードに設定されている場合は、ｎ(1)PUCCH,i（ｉ＝０）は、前記ＳＰＳ活性化ＰＤＣＣＨによって受信された情報によって指示されたリソースであり、ｎ(1)PUCCH,i（ｉ＝１）は他の１つのリソースである、請求項１２に記載の端末。
【請求項１４】
前記セカンダリセルによって受信された前記ＰＤＳＣＨに対応する前記ＨＡＲＱ−ＡＣＫ応答、前記プライマリセルによって受信された前記ＳＰＳ ＰＤＳＣＨに対応する前記ＨＡＲＱ−ＡＣＫ応答、前記第２セットのＰＵＣＣＨリソース、及び伝送された前記２ビットの間の関係は、表（２）に示す関係を含み、
【表４】
0005926276.tif 000022
ＨＡＲＱ−ＡＣＫ（０）、ＨＡＲＱ−ＡＣＫ（１）、ＨＡＲＱ−ＡＣＫ（２）及びＨＡＲＱ−ＡＣＫ（３）は、前記セカンダリセルによって受信された前記ＰＤＳＣＨに対応する前記ＨＡＲＱ−ＡＣＫ応答、及び前記プライマリセルによって受信された前記ＳＰＳ ＰＤＳＣＨに対応する前記ＨＡＲＱ−ＡＣＫ応答を示し、ｎ(1)PUCCH,i（ｉ＝０，１，２，３）は、前記第２セットのＰＵＣＣＨリソースを意味し、ｂ（０）ｂ（１）は伝送された前記２ビットを意味し、
前記プライマリセルが前記第２の伝送モードに設定されている場合は、ｎ(1)PUCCH,i（ｉ＝０）は、前記ＳＰＳ活性化ＰＤＣＣＨによって受信された情報によって指示されたリソースであり、ｎ(1)PUCCH,i（ｉ＝１）は他の１つのリソースである、請求項１２に記載の端末。
【請求項１５】
ｎ(1)PUCCH,i（ｉ＝２，３）は、前記ＲＲＣ層により構成された第３セットのＰＵＣＣＨフォーマット１ｂリソースインデックスを用いて提供される、請求項１４に記載の端末。
【請求項１６】
前記情報は、前記ＳＰＳ活性化ＰＤＣＣＨのＴＰＣ（Ｔｒａｎｓｍｉｔ Ｐｏｗｅｒ Ｃｏｎｔｒｏｌ）フィールドを通じて受信される、請求項９に記載の端末。
【発明の詳細な説明】
【技術分野】
【０００１】
本発明は、無線通信システムに係り、特に、制御情報を伝送する方法及びそのための装置に関する。
【背景技術】
【０００２】
無線通信システムが音声やデータなどのような種々の通信サービスを提供するために広範囲に展開されている。一般に、無線通信システムは、利用可能なシステムリソース（帯域幅、伝送パワーなど）を共有してマルチユーザーとの通信を支援し得る多重アクセスシステムのことをいう。多重アクセスシステムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線通信システムにおいて上りリンク制御情報を効率よく伝送する方法及びそのための装置を提供することにある。本発明の他の目的は、マルチキャリア状況において、制御情報、好ましくはＡＣＫ／ＮＡＣＫ情報を効率よく伝送する方法及びそのための装置を提供することにある。
【０００４】
本発明で達成しようとする技術的課題は、上記の技術的課題に制限されず、言及していない他の技術的課題は、下の記載から、本発明の属する技術の分野における通常の知識を有する者には明確に理解されるであろう。
【課題を解決するための手段】
【０００５】
本発明の目的は、無線通信システムにおいてプライマリセルとセカンダリセルとを含む複数のサービングセルが構成された状況で上りリンク制御情報を伝送する方法において、上位層により構成された第１セットのＰＵＣＣＨ（Ｐｈｙｓｉｃａｌ  Ｕｐｌｉｎｋ  Ｃｏｎｔｒｏｌ  Ｃｈａｎｎｅｌ）フォーマット１ｂリソースのうち一部を指示する指示情報を、ＳＰＳ（Ｓｅｍｉ  Ｐｅｒｓｉｓｔｅｎｔ  Ｓｃｈｅｄｕｌｉｎｇ）活性化ＰＤＣＣＨ（Ｐｈｙｓｉｃａｌ  Ｄｏｗｎｌｉｎｋ  Ｃｏｎｔｒｏｌ  Ｃｈａｎｎｅｌ）を用いて受信し、ＳＰＳ ＰＤＣＣＨを受信した後、ＳＰＳ ＰＤＳＣＨ（Ｐｈｙｓｉｃａｌ  Ｄｏｗｎｌｉｎｋ  Ｓｈａｒｅｄ  Ｃｈａｎｎｅｌ）を、対応するＰＤＣＣＨ無しにプライマリセルで受信し、ＳＰＳ ＰＤＳＣＨの伝送ブロックに対応する受信応答情報を含む複数のＨＡＲＱ−ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）を生成し、指示情報に基づいて得られた一つ以上のＰＵＣＣＨフォーマット１ｂリソースを含む第２セットのＰＵＣＣＨフォーマット１ｂリソースから、複数のＨＡＲＱ−ＡＣＫに対応する一つのＰＵＣＣＨフォーマット１ｂリソースを選択し、選択されたＰＵＣＣＨフォーマット１ｂリソースを用いて、複数のＨＡＲＱ−ＡＣＫに対応するビット値を伝送し、プライマリセルが単一の伝送ブロック伝送のみを支援する伝送モードに設定された場合に、指示情報に基づいて一つのＰＵＣＣＨフォーマット１ｂリソースが提供され、プライマリセルが複数の伝送ブロック伝送を支援する伝送モードに設定された場合に、指示情報に基づいて複数のＰＵＣＣＨフォーマット１ｂリソースが提供される、方法により、達成される。
【０００６】
本発明の他の側面において、無線通信システムにおいてプライマリセルとセカンダリセルとを含む複数のサービングセルが構成された状況で上りリンク制御情報を伝送するように構成された通信装置において、無線周波数（Ｒａｄｉｏ  Ｆｒｅｑｕｅｎｃｙ：ＲＦ）ユニットと、プロセッサと、を備え、プロセッサは、上位層により構成された第１セットのＰＵＣＣＨ（Ｐｈｙｓｉｃａｌ  Ｕｐｌｉｎｋ  Ｃｏｎｔｒｏｌ  Ｃｈａｎｎｅｌ）フォーマット１ｂリソースのうち一部を指示する指示情報を、ＳＰＳ（Ｓｅｍｉ  Ｐｅｒｓｉｓｔｅｎｔ  Ｓｃｈｅｄｕｌｉｎｇ）活性化ＰＤＣＣＨ（Ｐｈｙｓｉｃａｌ  Ｄｏｗｎｌｉｎｋ  Ｃｏｎｔｒｏｌ  Ｃｈａｎｎｅｌ）を用いて受信し、ＳＰＳ ＰＤＣＣＨを受信した後、ＳＰＳ ＰＤＳＣＨ（Ｐｈｙｓｉｃａｌ  Ｄｏｗｎｌｉｎｋ  Ｓｈａｒｅｄ  Ｃｈａｎｎｅｌ）を、対応するＰＤＣＣＨ無しにプライマリセルで受信し、ＳＰＳ ＰＤＳＣＨの伝送ブロックに対応する受信応答情報を含む複数のＨＡＲＱ−ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）を生成し、指示情報に基づいて得られた一つ以上のＰＵＣＣＨフォーマット１ｂリソースを含む第２セットのＰＵＣＣＨフォーマット１ｂリソースから、複数のＨＡＲＱ−ＡＣＫに対応する一つのＰＵＣＣＨフォーマット１ｂリソースを選択し、選択されたＰＵＣＣＨフォーマット１ｂリソースを用いて複数のＨＡＲＱ−ＡＣＫに対応するビット値を伝送するように構成され、プライマリセルが単一の伝送ブロック伝送のみを支援する伝送モードに設定された場合に、指示情報に基づいて一つのＰＵＣＣＨフォーマット１ｂリソースが提供され、プライマリセルが複数の伝送ブロック伝送を支援する伝送モードに設定された場合に、指示情報に基づいて複数のＰＵＣＣＨフォーマット１ｂリソースが提供される、通信装置が提供される。
【０００７】
好適には、指示情報は単一値を指示し、プライマリセルが単一の伝送ブロック伝送のみを支援する伝送モードに設定された場合に、単一値に基づいて一つのＰＵＣＣＨフォーマット１ｂリソースが提供され、プライマリセルが複数の伝送ブロック伝送を支援する伝送モードに設定された場合に、単一値に基づいて一対のＰＵＣＣＨフォーマット１ｂリソースが提供される。
【０００８】
好適には、複数のＨＡＲＱ−ＡＣＫ、第２セットのＰＵＣＣＨフォーマット１ｂリソース、及びビット値間の関係は、表（１）の関係を有する。
【０００９】
【表１】
0005926276.tif 000002
ここで、ＨＡＲＱ−ＡＣＫ(０)(１)は、２つの伝送ブロック伝送を支援する伝送モードに設定されたサービングセルの伝送ブロックに対するＡＣＫ／ＮＡＣＫ／ＤＴＸ（Ａｃｋｎｏｗｌｅｄｇｅｍｅｎｔ／Ｎｅｇａｔｉｖｅ  ＡＣＫ／Ｄｉｓｃｏｎｔｉｎｕｏｕｓ  Ｔｒａｎｓｍｉｓｓｉｏｎ）応答を表し、ＨＡＲＱ−ＡＣＫ(２)は、単一の伝送ブロック伝送を支援する伝送モードに設定されたサービングセルの伝送ブロックに対するＡＣＫ／ＮＡＣＫ／ＤＴＸ応答を表し、n(1)PUCCH,i（ｉ＝０，１，２）は、第２セットのＰＵＣＣＨフォーマット１ｂリソースを表し、ｂ(０)ｂ(１)はビット値を表し、プライマリセルが単一の伝送ブロック伝送のみを支援する伝送モードに設定された場合に、指示情報に基づいてn(1)PUCCH,i（ｉ＝２）が提供され、プライマリセルが複数の伝送ブロック伝送を支援する伝送モードに設定された場合に、指示情報に基づいてn(1)PUCCH,i（ｉ＝０，１）が提供される。
【００１０】
好適には、複数のＨＡＲＱ−ＡＣＫ、第２セットのＰＵＣＣＨリソース、及びビット値間の関係は、表（２）の関係を有する。
【００１１】
【表２】
0005926276.tif 000003
ここで、ＨＡＲＱ−ＡＣＫ(０)(１)は、プライマリセルの伝送ブロックに対するＡＣＫ／ＮＡＣＫ／ＤＴＸ応答を表し、ＨＡＲＱ−ＡＣＫ(２)(３)は、セカンダリセルの伝送ブロックに対するＡＣＫ／ＮＡＣＫ／ＤＴＸ応答を表し、n(1)PUCCH,i（ｉ＝０，１，２，３）は、第２セットのＰＵＣＣＨフォーマット１ｂリソースを表し、ｂ(０)ｂ(１)は、ビット値を表し、指示情報に基づいてn(1)PUCCH,i（ｉ＝０、１）が提供される。
【００１２】
好適には、セカンダリセルの伝送ブロックに対応するＰＤＣＣＨがプライマリセルで受信された場合に、n(1)PUCCH,i（ｉ＝２，３）はそれぞれ、セカンダリセルの伝送ブロックに対応するＰＤＣＣＨを構成する最小ＣＣＥインデックス及びその次のＣＣＥインデックスを用いて提供され、セカンダリセルの伝送ブロックに対応するＰＤＣＣＨがセカンダリセルで受信された場合に、n(1)PUCCH,i（ｉ＝２，３）は、ＲＲＣ（Ｒａｄｉｏ  Ｒｅｓｏｕｒｃｅ  Ｃｏｎｔｒｏｌ）層により構成された第３セットのＰＵＣＣＨフォーマット１ｂリソースインデックスの中から提供される。
【００１３】
好適には、指示情報は、ＳＰＳ活性化ＰＤＣＣＨのＴＰＣ（Ｔｒａｎｓｍｉｔ  Ｐｏｗｅｒ  Ｃｏｎｔｒｏｌ）フィールドを通じて受信される。
【発明の効果】
【００１４】
本発明によれば、無線通信システムにおいて上りリンク制御情報を効率よく伝送することができる。また、マルチキャリア状況で制御情報、好ましくはＡＣＫ／ＮＡＣＫ情報を効率よく伝送することができる。
【００１５】
本発明で得られる効果は、以上に言及した効果に制限されず、言及していない別の効果は、以下の記載から、本発明の属する技術の分野における通常の知識を有する者には明確に理解されるであろう。
【図面の簡単な説明】
【００１６】
本発明に関する理解を助けるために詳細な説明の一部として含まれる添付図面は、本発明の実施例を提供し、詳細な説明と共に本発明の技術的思想を説明する。
【図１】無線フレームの構造を例示する図である。
【図２】下りリンクスロットのリソースグリッドを例示する図である。
【図３】下りリンクサブフレームの構造を示す図である。
【図４】上りリンクサブフレームの構造を例示する図である。
【図５】ＰＵＣＣＨフォーマット１ａ／１ｂのスロットレベルの構造を示す図である。
【図６】ＡＣＫ／ＮＡＣＫのための動的ＰＵＣＣＨリソースを決定する例を示す図である。
【図７】キャリアアグリゲーション（Ｃａｒｒｉｅｒ  Ａｇｇｒｅｇａｔｉｏｎ：ＣＡ）通信システムを例示する図である。
【図８】複数のキャリアが束ねられた場合のスケジューリングを例示する図である。
【図９】本発明の実施例に係るＡ／Ｎチャネル選択方式を示す図である。
【図１０】本発明の実施例に係るＡ／Ｎチャネル選択方式を示す図である。
【図１１】本発明に一実施例に適用され得る基地局及び端末を例示する図である。
【発明を実施するための形態】
【００１７】
以下の技術は、ＣＤＭＡ、ＦＤＭＡ、ＴＤＭＡ、ＯＦＤＭＡ、ＳＣ−ＦＤＭＡなどのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術とすることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術とすることができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクにおいてＯＦＤＭＡを採用し、上りリンクにおいてＳＣ−ＦＤＭＡを採用する。ＬＴＥ−Ａ（Ａｄｖａｎｃｅｄ）は、３ＧＰＰ ＬＴＥの進展したバージョンである。
【００１８】
説明を明確にするために、３ＧＰＰ ＬＴＥ／ＬＴＥ−Ａを中心に説明するが、これに本発明の技術的思想が制限されるわけではない。また、以下の説明で使われる特定用語は、本発明の理解を助けるために提供されるもので、このような特定用語の使用は、本発明の技術的思想を逸脱しない範囲で他の形態に変更されてもよい。
【００１９】
図１は、無線フレームの構造を示す図である。
【００２０】
図１を参照すると、無線フレームは、１０個のサブフレームを含む。サブフレームは、時間ドメインにおいて２つのスロットを含む。サブフレームを伝送する時間が伝送時間間隔（Ｔｒａｎｓｍｉｓｓｉｏｎ  Ｔｉｍｅ  Ｉｎｔｅｒｖａｌ：ＴＴＩ）と定義される。例えば、１サブフレームは、１ｍｓの長さを有することができ、１スロットは０．５ｍｓの長さを有することができる。１スロットは、時間ドメインにおいて、複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）またはＳＣ−ＦＤＭＡシンボルを有する。ＬＴＥは、下りリンクにおいてＯＦＤＭＡを用い、上りリンクにおいてＳＣ−ＦＤＭＡを用いるので、ＯＦＤＭまたはＳＣ−ＦＤＭＡシンボルは、１シンボル期間を表す。リソースブロック（Ｒｅｓｏｕｒｃｅ  Ｂｌｏｃｋ：ＲＢ）は、リソース割当ユニットであり、１スロットで複数の連続した副搬送波を含む。同図の無線フレームの構造は例示的なもので、無線フレームに含まれるサブフレームの個数、サブフレームに含まれるスロットの個数、スロットに含まれるシンボルの個数は種々の方式で変形されてもよい。
【００２１】
図２は、下りリンクスロットのリソースグリッドを例示する図である。
【００２２】
図２を参照すると、下りリンクスロットは、時間ドメインにおいて複数のＯＦＤＭシンボルを含む。１下りリンクスロットは、７（６）個のＯＦＤＭシンボルを含み、リソースブロックは、周波数ドメインにおいて１２個の副搬送波を含むことができる。リソースグリッド上の各要素は、リソース要素（Ｒｅｓｏｕｒｃｅ  Ｅｌｅｍｅｎｔ：ＲＥ）と呼ばれる。１個のＲＢは、１２×７（６）個のＲＥを含む。下りリンクスロットに含まれるＲＢの個数ＮRBは、下りリンク伝送帯域に依存する。上りリンクスロットの構造は、下りリンクスロットの構造と同一であり、ただし、ＯＦＤＭシンボルがＳＣ−ＦＤＭＡシンボルに取り替えられる。
【００２３】
図３は、下りリンクサブフレームの構造を示す図である。
【００２４】
図３を参照すると、サブフレームの１番目のスロットにおいて前部に位置している最大３（４）個のＯＦＤＭシンボルは、制御チャネルが割り当てられる制御領域に対応する。残りのＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｎｅｌ）が割り当てられるデータ領域に該当する。ＰＤＳＣＨは、伝送ブロック（Ｔｒａｎｓｐｏｒｔ  Ｂｌｏｃｋ：ＴＢ）あるいはそれに対応するコードワード（ＣｏｄｅＷｏｒｄ：ＣＷ）を運ぶのに用いられる。伝送ブロックは、伝送チャネルを介してＭＡＣ層からＰＨＹ層に伝達されたデータブロックを意味する。コードワードは、伝送ブロックの符号化したバージョンに該当する。伝送ブロックとコードワードとの対応関係はスワッピングによって異なってくる。本明細書ではＰＤＳＣＨ、伝送ブロック及びコードワードが同一の意味で使われる。ＬＴＥで用いられる下りリンク制御チャネルの例には、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などがある。ＰＣＦＩＣＨは、サブフレームの１番目のＯＦＤＭシンボルで伝送され、サブフレーム内において制御チャネルの伝送に使われるＯＦＤＭシンボルの個数に関する情報を運ぶ。ＰＨＩＣＨは、上りリンク伝送の応答としてＨＡＲＱ ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００２５】
ＰＤＣＣＨを介して伝送される制御情報をＤＣＩ（Ｄｏｗｎｌｉｎｋ  Ｃｏｎｔｒｏｌ  Ｉｎｆｏｒｍａｔｉｏｎ）と呼ぶ。ＤＣＩは、端末または端末グループのためのリソース割当情報及び他の制御情報を含む。例えば、ＤＣＩは、上りリンク／下りリンクスケジューリング情報、上りリンク伝送（Ｔｘ）パワー制御命令などを含む。多重アンテナ技術を構成するための伝送モード及びＤＣＩフォーマットの情報コンテンツは、次の通りである。
【００２６】
＜伝送モード（Ｔｒａｎｓｍｉｓｓｉｏｎ  Ｍｏｄｅ：ＴＭ）＞
● 伝送モード１:単一の基地局アンテナポートからの伝送
● 伝送モード２:ダイバーシティを伝送
● 伝送モード３:開ループ空間多重化
● 伝送モード４:閉ループ空間多重化
● 伝送モード５:マルチユーザーＭＩＭＯ
● 伝送モード６:閉ループランク−１プリコーディング
● 伝送モード７:端末固有の参照信号を用いた伝送 
＜ＤＣＩフォーマット＞
● フォーマット０: ＰＵＳＣＨ伝送（アップリンク）のためのリソース承認（grants）
● フォーマット１: 単一コードワードＰＤＳＣＨ伝送（伝送モード１、２、７）のためのリソース割り当て（assignments）
● フォーマット１Ａ:単一コードワードＰＤＳＣＨ（全モード）のためのリソース割り当てのコンパクトな信号伝送
● フォーマット１Ｂ:ランク−１閉ループプリコーディング（モード６）を用いたＰＤＳＣＨのためのコンパクトなリソース割り当て 
● フォーマット１Ｃ:ＰＤＳＣＨのための非常にコンパクトなリソース割り当て（例えば、ページング／放送システム情報）
● フォーマット１Ｄ:マルチユーザーＭＩＭＯ（モード５）を用いたＰＤＳＣＨのためのコンパクトなリソース割り当て
● フォーマット２:閉ループＭＩＭＯ動作（モード４）のためのＰＤＳＣＨのためのリソース割り当て
● フォーマット２Ａ:開ループＭＩＭＯ動作（モード３）のためのＰＤＳＣＨのためのリソース割り当て
● フォーマット３／３Ａ:２ビット／２ビット電力調整を用いたＰＵＣＣＨ及びＰＵＳＣＨのための電力制御命令
【００２７】
上述したように、ＰＤＣＣＨは、下りリンク共有チャネル（ｄｏｗｎｌｉｎｋ  ｓｈａｒｅｄ  ｃｈａｎｎｅｌ：ＤＬ−ＳＣＨ）の伝送フォーマット及びリソース割当情報、上りリンク共有チャネル（ｕｐｌｉｎｋ  ｓｈａｒｅｄ  ｃｈａｎｎｅｌ：ＵＬ−ＳＣＨ）の伝送フォーマット及びリソース割当情報、ページングチャネル（ｐａｇｉｎｇ  ｃｈａｎｎｅｌ：ＰＣＨ）上のページング情報、ＤＬ−ＳＣＨ上のシステム情報、ＰＤＳＣＨ上で伝送されるランダムアクセス応答のような上位層制御メッセージのリソース割当情報、端末グループ内の個別端末に対するＴｘパワー制御命令セット、Ｔｘパワー制御命令、ＶｏＩＰ（Ｖｏｉｃｅ  ｏｖｅｒ  ＩＰ）の活性化指示情報などを運ぶ。複数のＰＤＣＣＨが制御領域内で伝送され、端末は、複数のＰＤＣＣＨをモニタリングすることもできる。ＰＤＣＣＨは、一つまたは複数の連続した制御チャネル要素（ｃｏｎｔｒｏｌ  ｃｈａｎｎｅｌ  ｅｌｅｍｅｎｔ：ＣＣＥ）の集合（ａｇｇｒｅｇａｔｉｏｎ）上で伝送される。ＣＣＥは、ＰＤＣＣＨに、無線チャネル状態に基づくコーディングレートを提供するのに使われる論理的割当ユニットである。ＣＣＥは、複数のリソース要素グループ（ｒｅｓｏｕｒｃｅ  ｅｌｅｍｅｎｔ  ｇｒｏｕｐ：ＲＥＧ）に対応する。ＰＤＣＣＨのフォーマット及びＰＤＣＣＨビットの個数は、ＣＣＥの個数によって決定される。基地局は、端末に伝送されるＤＣＩに基づいてＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣには、ＰＤＣＣＨの所有者または使用目的に基づいて識別子（例えば、ＲＮＴＩ（ｒａｄｉｏ  ｎｅｔｗｏｒｋ  ｔｅｍｐｏｒａｒｙ  ｉｄｅｎｔｉｆｉｅｒ））をマスキング（または、スクランブル）することができる。例えば、ＰＤＣＣＨが特定端末のためのものであると、該当の端末の識別子（例えば、ｃｅｌｌ−ＲＮＴＩ（Ｃ−ＲＮＴＩ））をＣＲＣにマスキングすることができる。ＰＤＣＣＨがページングメッセージのためのものであると、ページング識別子（例えば、ｐａｇｉｎｇ−ＲＮＴＩ（Ｐ−ＲＮＴＩ））をＣＲＣにマスキングすることができる。ＰＤＣＣＨがシステム情報（より具体的に、システム情報ブロック（ｓｙｓｔｅｍ  ｉｎｆｏｒｍａｔｉｏｎ  ｂｌｏｃｋ：ＳＩＢ））のためのものであると、ＳＩ−ＲＮＴＩ（ｓｙｓｔｅｍ  ｉｎｆｏｒｍａｔｉｏｎ  ＲＮＴＩ）をＣＲＣにマスキングすることができる。ＰＤＣＣＨがランダムアクセス応答のためのものであると、ＲＡ−ＲＮＴＩ（ｒａｎｄｏｍ  ａｃｃｅｓｓ−ＲＮＴＩ）をＣＲＣにマスキングすることができる。 
【００２８】
図４には、ＬＴＥで用いられる上りリンクサブフレームの構造を例示する。
【００２９】
図４を参照すると、上りリンクサブフレームは、複数（例えば、２個）のスロットを含む。スロットは、ＣＰ長によって異なった数のＳＣ−ＦＤＭＡシンボルを含むことができる。上りリンクサブフレームは周波数領域においてデータ領域と制御領域とに区別される。データ領域は、ＰＵＳＣＨを含み、音声などのデータ信号を伝送するのに用いられる。制御領域は、ＰＵＣＣＨを含み、上りリンク制御情報（Ｕｐｌｉｎｋ  Ｃｏｎｔｒｏｌ  Ｉｎｆｏｒｍａｔｉｏｎ：ＵＣＩ）を伝送するのに用いられる。ＰＵＣＣＨは、周波数軸においてデータ領域の両端部に位置しているＲＢ対（ＲＢ  ｐａｉｒ）を含み、スロットを境界にホッピングする。
【００３０】
下記の制御情報を伝送するのにＰＵＣＣＨを用いることができる。
【００３１】
- ＳＲ（Ｓｃｈｅｄｕｌｉｎｇ  Ｒｅｑｕｅｓｔ）：上りリンクＵＬ−ＳＣＨリソースを要請するのに用いる情報である。ＯＯＫ（Ｏｎ−Ｏｆｆ  Ｋｅｙｉｎｇ）方式を用いて伝送する。
【００３２】
- ＨＡＲＱ ＡＣＫ／ＮＡＣＫ：ＰＤＳＣＨ上の下りリンクデータパケットに対する応答信号である。下りリンクデータパケットの受信に成功したか否かを示す。単一の下りリンクコードワードに対する応答としてＡＣＫ／ＮＡＣＫ １ビットが伝送され、２つの下りリンクコードワードに対する応答としてＡＣＫ／ＮＡＣＫ ２ビットが伝送される。
【００３３】
- ＣＱＩ（Ｃｈａｎｎｅｌ  Ｑｕａｌｉｔｙ  Ｉｎｄｉｃａｔｏｒ）：下りリンクチャネルに対するフィードバック情報である。ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。サブフレーム当たり２０ビットが用いられる。
【００３４】
端末がサブフレームで伝送し得る制御情報（ＵＣＩ）の量は、制御情報の伝送に可用なＳＣ−ＦＤＭＡの個数に依存する。制御情報伝送に可用なＳＣ−ＦＤＭＡは、サブフレームにおいて参照信号伝送のためのＳＣ−ＦＤＭＡシンボルを除いた残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームでは、サブフレームの最後のＳＣ−ＦＤＭＡシンボルも除外される。参照信号は、ＰＵＣＣＨのコヒーレント検出に用いられる。ＰＵＣＣＨは、伝送される情報によって７個のフォーマットを支援する。
【００３５】
表（１Ａ）に、ＬＴＥにおいてＰＵＣＣＨフォーマットとＵＣＩとのマッピング関係を示す。
【００３６】
【表３】
0005926276.tif 000004
【００３７】
図５には、ＰＵＣＣＨフォーマット１ａ／１ｂのスロットレベルの構造を示す。ＰＵＣＣＨフォーマット１ａ／１ｂは、ＡＣＫ／ＮＡＣＫ伝送に用いられる。ノーマルＣＰの場合に、ＳＣ−ＦＤＭＡ＃２／＃３／＃４がＤＭ ＲＳ（Ｄｅｍｏｄｕｌａｔｉｏｎ  Ｒｅｆｅｒｅｎｃｅ  Ｓｉｇｎａｌ）伝送に用いられる。拡張ＣＰの場合に、ＳＣ−ＦＤＭＡ＃２／＃３がＤＭ ＲＳ伝送に用いられる。したがって、スロットにおいて４個のＳＣ−ＦＤＭＡシンボルがＡＣＫ／ＮＡＣＫ伝送に用いられる。便宜上、ＰＵＣＣＨフォーマット１ａ／１ｂをＰＵＣＣＨフォーマット１と総称する。
【００３８】
図５を参照すると、１ビット［ｂ（０）］及び２ビット［ｂ（０）ｂ（１）］ＡＣＫ／ＮＡＣＫ情報はそれぞれＢＰＳＫ及びＱＰＳＫ変調方式によって変調され、一つのＡＣＫ／ＮＡＣＫ変調シンボルが生成される（ｄ0）。ＡＣＫ／ＮＡＣＫ情報においてそれぞれのビット［ｂ（ｉ）、ｉ＝０，１］は、該当のＤＬ伝送ブロックに対するＨＡＲＱ応答を示し、ポジティブＡＣＫの場合にビットは１と与えられ、ネガティブＡＣＫ（ＮＡＣＫ）の場合に該当ビットは０と与えられる。表（２Ａ）には、既存ＬＴＥにおいてＰＵＣＣＨフォーマット１ａ及び１ｂのために定義された変調テーブルを示す。
【００３９】
【表４】
0005926276.tif 000005
【００４０】
ＰＵＣＣＨフォーマット１ａ／１ｂは、上述のＣＱＩと同様に、周波数ドメインでサイクリックシフト（αcs,x）を行う他、直交拡散コード（例えば、Ｗａｌｓｈ−ＨａｄａｍａｒｄまたはＤＦＴコード）（ｗ０，ｗ１，ｗ２，ｗ３）を用いて時間ドメイン拡散を行う。ＰＵＣＣＨフォーマット１ａ／１ｂでは、周波数及び時間ドメインの両方でコード多重化が用いられるので、より多数の端末を同一のＰＵＣＣＨ ＲＢ上に多重化することができる。
【００４１】
それぞれ異なった端末から伝送されるＲＳは、ＵＣＩと同様の方法で多重化する。ＰＵＣＣＨ ＡＣＫ／ＮＡＣＫ ＲＢのためのＳＣ−ＦＤＭＡシンボルで支援されるサイクリックシフトの個数は、セル−特定（ｃｅｌｌ−ｓｐｅｃｉｆｉｃ）上位層シグナリングパラメータΔPUCCHshiftによって構成することができる。ΔPUCCHshift∈｛１、２、３｝はそれぞれ、シフト値が１２、６及び４であることを示す。時間ドメインＣＤＭにおいてＡＣＫ／ＮＡＣＫに実際に用い得る拡散コードの個数は、ＲＳシンボルの個数により制限されることがある。少ない数のＲＳシンボルの故にＲＳシンボルの多重化容量がＵＣＩシンボルの多重化容量よりも小さいわけである。
【００４２】
図６には、ＡＣＫ／ＮＡＣＫのための動的ＰＵＣＣＨリソースを決定する例を示す。ＬＴＥシステムにおいてＡＣＫ／ＮＡＣＫのためのＰＵＣＣＨリソースは各端末にあらかじめ割り当てられておらず、複数のＰＵＣＣＨリソースをセル内の複数の端末が毎時点ごとに分けて使用する。具体的に、端末がＡＣＫ／ＮＡＣＫを伝送するのに用いるＰＵＣＣＨリソースは、該当の下りリンクデータに関するスケジューリング情報を運ぶＰＤＣＣＨに対応する。それぞれの下りリンクサブフレームにおいてＰＤＣＣＨの伝送される全体領域は複数のＣＣＥ（Ｃｏｎｔｒｏｌ  Ｃｈａｎｎｅｌ  Ｅｌｅｍｅｎｔ）で構成され、端末に伝送されるＰＤＣＣＨは一つ以上のＣＣＥで構成される。端末は、自身が受信したＰＤＣＣＨを構成するＣＣＥのうち、特定ＣＣＥ（例えば、１番目のＣＣＥ）に対応するＰＵＣＣＨリソースを用いてＡＣＫ／ＮＡＣＫを伝送する。
【００４３】
図６を参照すると、下りリンクコンポーネントキャリア（ＤｏｗｎＬｉｎｋ  Ｃｏｍｐｏｎｅｎｔ  Ｃａｒｒｉｅｒ：ＤＬ ＣＣ）において各ます目はＣＣＥを表し、上りリンクコンポーネントキャリア（ＵｐＬｉｎｋ  Ｃｏｍｐｏｎｅｎｔ  Ｃａｒｒｉｅｒ：ＵＬ ＣＣ）において各ます目はＰＵＣＣＨリソースを表す。それぞれのＰＵＣＣＨインデックスは、ＡＣＫ／ＮＡＣＫのためのＰＵＣＣＨリソースに対応する。図６に示すように、４〜６番のＣＣＥで構成されたＰＤＣＣＨを介してＰＤＳＣＨに関する情報が伝達されるとすると、端末は、ＰＤＣＣＨを構成する１番目のＣＣＥである４番ＣＣＥに対応する４番ＰＵＣＣＨを介してＡＣＫ／ＮＡＣＫを伝送する。図６は、ＤＬ ＣＣに最大Ｎ個のＣＣＥが存在するときに、ＵＬ ＣＣに最大Ｍ個のＰＵＣＣＨが存在する場合を例示する。Ｎ＝Ｍでもよいが、Ｍ値とＮ値とを異なるように設計し、ＣＣＥとＰＵＣＣＨとのマッピングが重なるようにしてもよい。
【００４４】
具体的に、ＬＴＥシステムにおいてＰＵＣＣＨリソースインデックスは下記のように定められる。
【００４５】
【数１】
0005926276.tif 000006
【００４６】
ここで、ｎ(1)PUCCHは、ＡＣＫ／ＮＡＣＫ／ＤＴＸを伝送するためのＰＵＣＣＨフォーマット１のリソースインデックスを表し、N(1)PUCCHは、上位層から伝達されるシグナリング値を表し、ｎCCEは、ＰＤＣＣＨ伝送に用いられたＣＣＥインデックスのうち、最小の値を表す。ｎ(1)PUCCHから、ＰＵＣＣＨフォーマット１ａ／１ｂのためのサイクリックシフト、直交拡散コード及びＰＲＢ（Ｐｈｙｓｉｃａｌ  Ｒｅｓｏｕｒｃｅ  Ｂｌｏｃｋ）が得られる。
【００４７】
次に、ＳＰＳ（Ｓｅｍｉ−Ｐｅｒｓｉｓｔｅｎｔ  Ｓｃｈｅｄｕｌｉｎｇ）、及びＳＰＳ動作時にＡＣＫ／ＮＡＣＫのためのＰＵＣＣＨリソースを半静的に割り当てる方法について説明する。
【００４８】
ユニキャストデータは、スケジューリングにより毎サブフレームごとに動的にリソースが割り当てられる。一方、ＳＰＳは、ＶｏＩＰ（Ｖｏｉｃｅ  ｏｖｅｒ  Ｉｎｔｅｒｎｅｔ  Ｐｒｏｔｏｃｏｌ）やストリーミングのように中／低速の要求データ率をもって周期的に発生するトラフィックに対してリソースをあらかじめ予約しておく。ＳＰＳは、特定トラフィックに対してリソースをあらかじめ予約することによって、スケジューリングオーバーヘッドを低減させ、リソースを安定して割り当てることができる。
【００４９】
ＬＴＥにおいてＤＬ／ＵＬ（ｕｐｌｉｎｋ／ｄｏｗｎｌｉｎｋ）ＳＰＳについては、ＳＰＳ送信（Ｔｘ）／受信（Ｒｘ）を行うべきサブフレームに関する情報がＲＲＣ（Ｒａｄｉｏ  Ｒｅｓｏｕｒｃｅ  Ｃｏｎｔｒｏｌ）シグナリングにより与えられ、ＳＰＳの活性化、再活性化及び解除がＰＤＣＣＨにより指示される。ＳＰＳのためのサブフレーム情報は、サブフレーム間隔、サブフレームオフセットを含む。便宜上、ＳＰＳ活性化／再活性化／解除を指示するためのＰＤＣＣＨをＳＰＳ ＰＤＣＣＨと称する。ＳＰＳ ＰＤＣＣＨは、ＳＰＳ Ｔｘ／ＲｘのためのＲＢ割当情報、ＭＣＳ（Ｍｏｄｕｌａｔｉｏｎａｎｄ  Ｃｏｄｉｎｇ  Ｓｃｈｅｍｅ）情報を運ぶ。ＳＰＳ ＰＤＣＣＨは、ＣＲＣ（Ｃｙｃｌｉｃ  Ｒｅｄｕｎｄａｎｃｙ  Ｃｈｅｃｋ）がＳＰＳＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）でマスキングされ、ＮＤＩ＝０にセッティングされる。そのため、端末は、ＲＲＣシグナリングによりＳＰＳの行われるべきサブフレーム（ＳＰＳサブフレームと略す。）に関する情報が割り当てられても、直ちにＳＰＳ Ｔｘ／Ｒｘを行うわけではなく、ＳＰＳ活性化（または再活性化）を知らせるＳＰＳ ＰＤＣＣＨを受信した場合に、ＲＲＣシグナリングにより割り当てられたサブフレームでＳＰＳ Ｔｘ（例えば、ＰＵＳＣＨ伝送）またはＳＰＳ Ｒｘ（例えば、ＰＤＳＣＨ受信）を行う。該当のサブフレームにおいてＳＰＳ Ｔｘ／ＲｘはＳＰＳ ＰＤＣＣＨ内のＲＢ割当情報及びＭＣＳ情報を用いて行われる。一方、端末は、ＳＰＳ解除を知らせるＰＤＣＣＨを受信するとＳＰＳ Ｔｘ／Ｒｘを中断する。中断したＳＰＳ Ｔｘ／Ｒｘは、活性化（または再活性化）を知らせるＳＰＳ ＰＤＣＣＨが受信されると、ＲＲＣシグナリングにより割り当てられたサブフレームにおいて、ＳＰＳ ＰＤＣＣＨで指定したＲＢ割当、ＭＣＳなどを用いて再開される。
【００５０】
ＳＰＳ活性化の場合、ＳＰＳ ＰＤＣＣＨのＤＣＩフィールドは表（３）のようにセッティングされる。表（３）のフィールド組み合わせは、ＳＰＳ活性ＰＤＣＣＨ検証のための仮想ＣＲＣとして用いられる。
【００５１】
【表５】
0005926276.tif 000007
【００５２】
仮想ＣＲＣは、該当のフィールド値が約束された値であるか否かを確認することによって追加的に誤りを検出するのに用いられる。他の端末に割り当てられたＤＣＩに誤りが発生したが、当該端末がその誤りを検出できず、自身のＳＰＳスケジューリング活性として誤って認識する場合に、該当のリソースを継続して使用するため、１回の誤りが持続的に問題を発生させる。したがって、仮想ＣＲＣを使ってＳＰＳの誤った検出を防止している。
【００５３】
ＳＰＳ解除の場合、ＳＰＳ ＰＤＣＣＨのＤＣＩフィールドは表（４）のようにセッティングされる。表（４）のＤＣＩフィールド組み合わせは、ＳＰＳ解除ＰＤＣＣＨ検証のための仮想ＣＲＣとして用いる。ＳＰＳ解除の場合、端末は、ＳＰＳ解除ＰＤＣＣＨに対するＡＣＫ／ＮＡＣＫを伝送する。
【００５４】
【表６】
0005926276.tif 000008
【００５５】
上りリンクＳＰＳの動作方式について具体的に説明する。まず、基地局は、上位層（例えば、ＲＲＣ）シグナリングを用いて端末にＳＰＳ動作を行うべきサブフレーム（例えば、２０ｍｓ間隔）を知らせる。その後、基地局は端末にＳＰＳ活性化を指示するＳＰＳ ＰＤＣＣＨを伝送することができる。ＳＰＳ ＰＤＣＣＨはＵＬグラント情報を含む。この場合、端末は、ＳＰＳシグナリングによりＵＬグラントメッセージを受信してから２０ｍｓ間隔ごとに、ＳＰＳ ＰＤＣＣＨにより指定された特定ＲＢ、ＭＣＳなどが上りリンク伝送のために割り当てられる。そのため、端末は２０ｍｓごとにＳＰＳ ＰＤＣＣＨにより指定されたＲＢ、ＭＣＳを用いて上りリンク伝送を行うことができる。したがって、ＳＰＳ動作中に伝送されるＰＵＳＣＨ信号は、対応するＰＤＣＣＨがない。便宜上、ＳＰＳによるＰＵＳＣＨをＳＰＳ ＰＵＳＣＨと称する。これと類似の方法で下りリンクＳＰＳ動作も行われる。具体的に、ＤＬグラントを有するＳＰＳ活性化ＰＤＣＣＨを受信した後、端末は２０ｍｓごとに、ＳＰＳ ＰＤＣＣＨにより指定されたＲＢ、ＭＣＳを用いて下りリンク信号（例えば、ＰＤＳＣＨ）を受信することができる。ＳＰＳ動作中に伝送されるＰＤＳＣＨ信号は、対応するＰＤＣＣＨがない。便宜上、ＳＰＳによるＰＤＳＣＨをＳＰＳＰＤＳＣＨと称する。
【００５６】
ＳＰＳ ＰＤＳＣＨは、対応するＰＤＣＣＨが存在しないことから、ＰＤＳＣＨ ｗｉｔｈｏｕｔ ＰＤＣＣＨと呼ぶことができる。したがって、図６及び式（１）を参照して説明したように、ＰＤＣＣＨを構成するＣＣＥを用いてＡＣＫ／ＮＡＣＫ伝送のためのＰＵＣＣＨリソースを割り当てることができない。これを解決するために、ＬＴＥシステムは、ＳＰＳ ＰＤＳＣＨに対するＡＣＫ／ＮＡＣＫ伝送のためにＰＵＣＣＨリソース候補セットを、上位層シグナリングを用いて構成し、そのうちの一つのＰＵＣＣＨリソースをＳＰＳ活性化ＰＤＣＣＨを通じて明示的に指示する。ＰＵＣＣＨリソースを指示する値は、ＳＰＳ活性化ＰＤＣＣＨのＴＰＣ（Ｔｒａｎｓｍｉｔ  Ｐｏｗｅｒ  Ｃｏｎｔｒｏｌ）フィールドを用いて伝送することができる。
【００５７】
表（５）は、ＬＴＥに定義された下りリンクＳＰＳのためのＰＵＣＣＨリソースインデックスを示すものである。表（５）を参照すると、上位層により４個のＰＵＣＣＨリソースインデックスが構成され、ＳＰＳ活性化ＰＤＣＣＨのＴＰＣフィールド（ＴＰＣコマンド）を用いて一つのＰＵＣＣＨリソースインデックスを指示することができる。
【００５８】
【表７】
0005926276.tif 000009
【００５９】
次に、ＡＣＫ／ＮＡＣＫチャネル選択方式（「Ａ／Ｎチャネル選択方式」または「チャネル選択方式」と略す。）について説明する。ＬＴＥシステムがＴＤＤ方式で動作する場合に、端末は、異なった時点のサブフレームで受信した複数のＰＤＳＣＨに対して一つの多重化したＡＣＫ／ＮＡＣＫ信号を伝送する。具体的に、端末は、Ａ／Ｎチャネル選択方式を用いて複数のＰＤＳＣＨに対して一つの多重化したＡＣＫ／ＮＡＣＫ信号を伝送する。Ａ／Ｎチャネル選択方式はＰＵＣＣＨ選択伝送方式とも呼ばれる。Ａ／Ｎチャネル選択方式において、端末は複数の下りリンクデータを受信した場合に、多重化したＡＣＫ／ＮＡＣＫ信号を伝送するために複数の上りリンク物理チャネルを占有する。一例として、端末は、複数のＰＤＳＣＨを受信した場合に、それぞれのＰＤＳＣＨを指示するＰＤＣＣＨの特定ＣＣＥを用いて同じ数のＰＵＣＣＨリソースを占有することができる。この場合、占有した複数のＰＵＣＣＨリソースからいずれのＰＵＣＣＨリソースを選択するか、及び選択したＰＵＣＣＨリソースに適用される変調／符号化された内容の組み合わせを用いて、多重化したＡＣＫ／ＮＡＣＫ信号を伝送することができる。
【００６０】
ＬＴＥシステムに定義されたＡ／Ｎチャネル選択方式を、表（６）に示す。
【００６１】
【表８】
0005926276.tif 000010
【００６２】
表（６）で、ＨＡＲＱ−ＡＣＫ(ｉ)は、ｉ番目のデータユニット（０≦ｉ≦３）のＨＡＲＱ ＡＣＫ／ＮＡＣＫ／ＤＴＸ結果を表す。ＨＡＲＱ ＡＣＫ／ＮＡＣＫ／ＤＴＸ結果は、ＡＣＫ、ＮＡＣＫ、ＤＴＸ、ＮＡＣＫ／ＤＴＸを含む。ＮＡＣＫ／ＤＴＸは、ＮＡＣＫまたはＤＴＸを表す。ＡＣＫ及びＮＡＣＫは、ＰＤＳＣＨを介して伝送された伝送ブロック（コードブロックと等価）のデコーディング成功及び失敗を表す。ＤＴＸ（Ｄｉｓｃｏｎｔｉｎｕｏｕｓ  Ｔｒａｎｓｍｉｓｓｉｏｎ）は、ＰＤＣＣＨ検出失敗を表す。それぞれのデータユニットと関連して最大４個のＰＵＣＣＨリソース（すなわち、ｎ(1)PUCCH,0〜ｎ(1)PUCCH,3）を占有することができる。多重化したＡＣＫ／ＮＡＣＫは、占有したＰＵＣＣＨリソースから選択された一つのＰＵＣＣＨリソースを用いて伝送される。表（６）に記載されたn(1)PUCCH,iは、実際にＡＣＫ／ＮＡＣＫを伝送するのに用いられるＰＵＣＣＨリソースを表す。ｂ(０)ｂ(１)は、選択されたＰＵＣＣＨリソースを用いて伝送される２ビットを表し、ＱＰＳＫ方式で変調される。一例として、端末が４個のデータユニットを成功的に復号した場合に、端末はｎ(1)PUCCH,1と連結されたＰＵＣＣＨリソースを用いて（１，１）を基地局に伝送する。ＰＵＣＣＨリソースとＱＰＳＫシンボルとの組み合わせが、可能なＡＣＫ／ＮＡＣＫ仮定を全て表すのには足りないので、一部の場合以外は、ＮＡＣＫとＤＴＸとがカップリングされる（ＮＡＣＫ／ＤＴＸ、Ｎ／Ｄ）。
【００６３】
図７には、キャリアアグリゲーション（Ｃａｒｒｉｅｒ  Ａｇｇｒｅｇａｔｉｏｎ：ＣＡ）通信システムを例示する。ＬＴＥ−Ａシステムは、より広い周波数帯域のために複数の上り／下りリンク周波数ブロックを束ねてより大きい上り／下りリンク帯域幅を用いるキャリアアグリゲーション（ｃａｒｒｉｅｒ  ａｇｇｒｅｇａｔｉｏｎまたはｂａｎｄｗｉｄｔｈ  ａｇｇｒｅｇａｔｉｏｎ）技術を用いる。各周波数ブロックは、コンポーネントキャリア（Ｃｏｍｐｏｎｅｎｔ  Ｃａｒｒｉｅｒ：ＣＣ）を用いて伝送される。コンポーネントキャリアは、該当の周波数ブロックのためのキャリア周波数（または、中心キャリア、中心周波数）と理解すればよい。
【００６４】
図７を参照すると、複数の上り／下りリンクコンポーネントキャリアを束ねてより広い上り／下りリンク帯域幅を支援することができる。それぞれのＣＣは周波数領域で互いに隣接しても、非隣接であってもよい。各コンポーネントキャリアの帯域幅は独立して定めることができる。ＵＬ ＣＣの個数とＤＬ ＣＣの個数とが異なった非対称キャリアアグリゲーションも可能である。例えば、２個のＤＬ ＣＣ及び１個のＵＬ ＣＣの場合は２：１で対応するように構成することができる。ＤＬ ＣＣ／ＵＬ ＣＣリンクは、システムに固定されていてもよく、半静的に構成されてもよい。また、システム全体帯域がＮ個のＣＣで構成されていても、特定端末がモニタリング／受信し得る周波数帯域はＭ（＜Ｎ）個のＣＣに限定することができる。キャリアアグリゲーションに関する種々のパラメータは、セル特定（ｃｅｌｌ−ｓｐｅｃｉｆｉｃ）、端末グループ特定（ＵＥ  ｇｒｏｕｐ−ｓｐｅｃｉｆｉｃ）または端末特定（ＵＥ−ｓｐｅｃｉｆｉｃ）方式で設定することができる。一方、制御情報は特定ＣＣを通じてのみ送受信されるように設定することができる。このような特定ＣＣをプライマリＣＣ（Ｐｒｉｍａｒｙ  ＣＣ：ＰＣＣ）（またはアンカーＣＣ）と呼び、残りのＣＣをセカンダリＣＣ（Ｓｅｃｏｎｄａｒｙ  ＣＣ：ＳＣＣ）と呼ぶこともできる。
【００６５】
ＬＴＥ−Ａは、無線リソースを管理するためにセルの概念を用いる。セルは、下りリンクリソースと上りリンクリソースとの組み合わせで定義され、ここで、上りリンクリソースは必須要素ではない。そのため、セルは、下りリンクリソース単独で構成されることもあり、または下りリンクリソース及び上りリンクリソースの両方で構成されることもある。キャリアアグリゲーションが支援される場合に、下りリンクリソースのキャリア周波数（または、ＤＬ ＣＣ）と上りリンクリソースのキャリア周波数（または、ＵＬ ＣＣ）間のリンケージはシステム情報により指示可能である。プライマリ周波数（またはＰＣＣ）上で動作するセルをプライマリセル（Ｐｒｉｍａｒｙ  Ｃｅｌｌ：ＰＣｅｌｌ）と呼び、セカンダリ周波数（またはＳＣＣ）上で動作するセルをセカンダリセル（Ｓｅｃｏｎｄａｒｙ  Ｃｅｌｌ：ＳＣｅｌｌ）と呼ぶことができる。ＰＣｅｌｌは、端末が初期接続確立過程を行ったり、接続再確立過程を行ったりするのに用いられる。ＰＣｅｌｌは、制御信号が伝送されるＵＬ ＣＣとＳＩＢ２リンクされたＤＬ ＣＣ上で動作するセルを意味することができる。また、ＰＣｅｌｌは、ハンドオーバー過程で指示されたセルを意味することもできる。ＳＣｅｌｌは、ＲＲＣ接続が確立された後に構成可能であり、追加の無線リソースを提供するのに用いることができる。ＰＣｅｌｌとＳＣｅｌｌはサービングセルと総称されてもよい。そのため、ＲＲＣ＿ＣＯＮＮＥＣＴＥＤ状態にあるが、キャリアアグリゲーションが設定されていないか、キャリアアグリゲーションを支援しない端末の場合は、ＰＣｅｌｌのみで構成されたサービングセルが一つのみ存在する。一方、ＲＲＣ＿ＣＯＮＮＥＣＴＥＤ状態にあり、且つキャリアアグリゲーションが設定された端末の場合は、一つ以上のサービングセルが存在し、全体サービングセルにはＰＣｅｌｌと全体ＳＣｅｌｌが含まれる。キャリアアグリゲーションのために、ネットワークは、初期保安活性化過程が開始された後、接続確立過程で、初期に構成されるＰＣｅｌｌに加えて一つ以上のＳＣｅｌｌを、キャリアアグリゲーションを支援する端末のために構成することができる。
【００６６】
図８には、複数のキャリアが束ねられた場合のスケジューリングを例示する。３個のＤＬ ＣＣが束ねられたと仮定する。ＤＬ ＣＣ ＡがＰＤＣＣＨ ＣＣと設定されたとする。ＤＬ ＣＣ Ａ〜Ｃを、サービングＣＣ、サービングキャリア、サービングセルなどと呼ぶこともできる。ＣＩＦがディセーブルされた場合に、それぞれのＤＬ ＣＣはＬＴＥ ＰＤＣＣＨ規則に従ってＣＩＦなしに自身のＰＤＳＣＨをスケジューリングするＰＤＣＣＨのみを伝送することができる（ノンクロスＣＣスケジューリング）。一方、端末−特定（または、端末グループ−特定またはセル−特定）上位層シグナリングによってＣＩＦがイネーブルされた場合には、ＤＬ ＣＣ Ａ（ＰＤＣＣＨ ＣＣ）はＣＩＦを用いてＤＬ ＣＣ ＡのＰＤＳＣＨをスケジューリングするＰＤＣＣＨに加えて、他のＣＣのＰＤＳＣＨをスケジューリングするＰＤＣＣＨも伝送することができる（クロスＣＣスケジューリング）。この場合、ＰＤＣＣＨ ＣＣと設定されていないＤＬ ＣＣ Ｂ／ＣではＰＤＣＣＨが伝送されない。そのため、ＤＬ ＣＣ Ａ（ＰＤＣＣＨ ＣＣ）は、ＤＬ ＣＣ Ａに関連したＰＤＣＣＨサーチスペース、ＤＬ ＣＣ Ｂに関連したＰＤＣＣＨサーチスペース、及びＤＬ ＣＣ Ｃに関連したＰＤＣＣＨサーチスペースを全て含まなければならない。
【００６７】
ＬＴＥ−Ａは、複数のＤＬ ＣＣを介して伝送された複数のＰＤＳＣＨに関する複数のＡＣＫ／ＮＡＣＫ情報／信号を特定ＵＬ ＣＣ（例えば、ＵＬ ＰＣＣまたはＵＬ ＰＣｅｌｌ）を介してフィードバックすることを考慮している。説明のために、端末が、あるＤＬ ＣＣでＳＵ−ＭＩＭＯ（Ｓｉｎｇｌｅ  Ｕｓｅｒ  Ｍｕｌｔｉｐｌｅ  Ｉｎｐｕｔ  Ｍｕｌｔｉｐｌｅ  Ｏｕｔｐｕｔ）モードで動作して２個のコードワード（あるいは伝送ブロック）を受信するとする。この場合、端末は、該当のＤＬ ＣＣに対してＡＣＫ／ＡＣＫ、ＡＣＫ／ＮＡＣＫ、ＮＡＣＫ／ＡＣＫ、ＮＡＣＫ／ＮＡＣＫの合計４個のフィードバック状態、あるいはＤＴＸまで含めて最大５個のフィードバック状態を伝送できるものでなければならない。もし、該当のＤＬ ＣＣが単一のコードワード（あるいは伝送ブロック）を支援するように設定されたとき、該当のＤＬ ＣＣに対してＡＣＫ、ＮＡＣＫ、ＤＴＸの最大３個の状態が存在する。もし、ＮＡＣＫをＤＴＸと同様に処理すると、該当のＤＬ ＣＣに対してＡＣＫ、ＮＡＣＫ／ＤＴＸの合計２個のフィードバック状態が存在するようになる。したがって、端末が最大５個のＤＬ ＣＣを束ね、且つ全てのＣＣでＳＵ−ＭＩＭＯモードで動作するとすれば、最大５５個の伝送可能なフィードバック状態を有することができ、これを表現するためのＡＣＫ／ＮＡＣＫペイロードサイズは合計１２ビットとなる。もし、ＤＴＸをＮＡＣＫと同様に処理すると、フィードバック状態の数は４５個になり、これを表現するためのＡＣＫ／ＮＡＣＫペイロードサイズは合計１０ビットとなる。
【００６８】
ＬＴＥ−Ａシステム、好ましくはＦＤＤ ＬＴＥ−Ａシステムでは、マルチキャリアの状況において、既存ＬＴＥ ＴＤＤシステムに用いられたＰＵＣＣＨフォーマット１ａ／１ｂとＡＣＫ／ＮＡＣＫ多重化（すなわち、ＡＣＫ／ＮＡＣＫチャネル選択）方法を用いて複数のＡＣＫ／ＮＡＣＫ情報／信号を伝送することが議論されている。一方、既存のＬＴＥ ＴＤＤシステムにおいてＡＣＫ／ＮＡＣＫ多重化（すなわち、ＡＣＫ／ＮＡＣＫ選択）方法は、ＰＵＣＣＨリソースの確保のために、それぞれのＰＤＳＣＨをスケジューリングするそれぞれのＰＤＣＣＨに対応する（すなわち、最小ＣＣＥインデックスとリンクされた）ＰＵＣＣＨリソースを用いる暗黙的ＡＣＫ／ＮＡＣＫ選択方式を用いる。しかし、異なったＲＢ内のＰＵＣＣＨリソースを用いて暗黙的ＡＣＫ／ＮＡＣＫ選択方式を適用すると性能劣化につながることがある。そのため、ＬＴＥ−Ａでは、ＲＲＣシグナリングなどを用いて各端末にあらかじめ予約されたＰＵＣＣＨリソース、好ましくは、同一ＲＢまたは隣接ＲＢ内の複数のＰＵＣＣＨリソースを用いる明示的ＡＣＫ／ＮＡＣＫ選択方式も共に議論されている。
【００６９】
表（７）には、ＨＡＲＱ−ＡＣＫのためのＰＵＣＣＨリソースを明示的に指示する例を示す。具体的に、上位層（例えば、ＲＲＣ）によりＰＵＣＣＨリソースセットが構成され、ＰＤＣＣＨのＡＲＩ（ＡＣＫ／ＮＡＣＫ  Ｒｅｓｏｕｒｃｅ  Ｉｎｄｉｃａｔｏｒ）値を用いて、実際に用いられるＰＵＣＣＨリソースを指示することができる。これに制限されるわけではないが、ＳＣｅｌｌ上のＰＤＳＣＨに対応するＰＤＣＣＨのＴＰＣ（Ｔｒａｎｓｍｉｔ  Ｐｏｗｅｒ  Ｃｏｎｔｒｏｌ）フィールドを用いてＡＲＩ値を指示することができる。ＡＲＩは、ＨＡＲＱ−ＡＣＫリソース指示値と同じ意味で使われる。
【００７０】
【表９】
0005926276.tif 000011
【００７１】
＜動的スケジューリング時のＡ／Ｎチャネル選択＞
以下、ＬＴＥ−Ａシステム、好ましくＦＤＤ ＬＴＥ−Ａシステムにおいてマルチキャリアが構成された場合にＡ／Ｎチャネル選択方式を適用する方法について具体的に説明する。下記の説明は動的スケジューリングを仮定している。すなわち、ＤＬグラントＰＤＣＣＨ及びそれに対応するＰＤＳＣＨを受信したとき、ＡＣＫ／ＮＡＣＫ情報をＵＬ伝送する場合を仮定する。ＬＴＥ−Ａにおいて、下記の条件を優先してＡ／Ｎチャネル選択用マッピングテーブルを設計することができる。
【００７２】
（１）フル暗黙的ＰＵＣＣＨリソース指示を支援。暗黙的ＰＵＣＣＨリソースは、ＤＬグラントＰＤＣＣＨを構成する一つ以上のＣＣＥのうち、特定のＣＣＥ（例えば、１番目のＣＣＥ）とリンクされたＰＵＣＣＨリソースを意味する（式（１）参照）。
【００７３】
（２）ＬＴＥフォールバックを支援。ＬＴＥフォールバックとは、ＰＣｅｌｌ以外のサービングセル（すなわち、ＳＣｅｌｌ）に対していずれもＮＡＣＫ／ＤＴＸである場合に、ＡＣＫ／ＮＡＣＫ状態伝送に用いられるＰＵＣＣＨフォーマット及び該ＰＵＣＣＨフォーマットを通じて伝送される変調シンボルが、既存ＬＴＥに定義された方式に従う方式を意味する。ＡＣＫ／ＮＡＣＫ状態及び変調シンボルのマッピングは、ＰＣｅｌｌに対するＡＣＫ／ＮＡＣＫを基準に決定される。
【００７４】
（３）ワースト（ｗｏｒｓｔ）ＡＣＫ／ＮＡＣＫビット性能の改善と平均性能の改善をし、個別ＡＣＫ／ＮＡＣＫビット性能を均等化。
【００７５】
表（８）には、２〜４ビットＡ／Ｎチャネル選択方式においてサービングセルの伝送ブロックとＨＡＲＱ−ＡＣＫとの関係を例示する。
【表１０】
0005926276.tif 000012
【００７６】
表（９）には、２ビットＡ／Ｎチャネル選択のためのマッピングテーブルを例示する。２ビットＡ／Ｎチャネル選択は、２個のサービングセルが束ねられた場合を仮定する。したがって、２ビットＡ／Ｎチャネル選択状況は、１個のＮｏｎ−ＳＤＭ（Ｓｐａｔｉａｌ  Ｄｉｖｉｓｉｏｎ  Ｍｕｌｔｉｐｌｅｘｉｎｇ）セルと１個のＮｏｎ−ＳＤＭセルとが束ねられた場合を示す。Ｎｏｎ−ＳＤＭセルは、最大１個の伝送ブロック伝送のみを支援する伝送モードに設定されたセルを意味し、ＳＤＭセルは、最大ｍ（例えば、ｍ＝２）個の伝送ブロック伝送を支援する伝送モードに設定されたセルを意味する。Ｎｏｎ−ＳＤＭセル及びＳＤＭセルはそれぞれ、Ｎｏｎ−ＭＩＭＯセル及びＭＩＭＯセルと同じ意味で使われる。
【００７７】
【表１１】
0005926276.tif 000013
【００７８】
ＰＵＣＣＨリソース０は暗黙的にシグナリング可能である。例えば、ＰＵＣＣＨリソース０は、ＰＣｅｌｌのＰＤＳＣＨに対応するＤＬグラントＰＤＣＣＨを構成するＣＣＥ（例えば、最小ＣＣＥインデックス）にリンク可能である（式（１）参照）。ＰＵＣＣＨリソース１は、ＳＣｅｌｌのＰＤＳＣＨに対応するＤＬグラントＰＤＣＣＨを構成するＣＣＥ（例えば、最小ＣＣＥインデックス）にリンクされてもよく（例えば、クロス−ＣＣスケジューリングの場合）、ＲＲＣにより明示的にシグナリングされてもよい（例えば、ノンクロス−ＣＣスケジューリングの場合）。
【００７９】
表（１０）は、表（９）のマッピングテーブルを別の形態に整理したものである
【００８０】
【表１２】
0005926276.tif 000014
【００８１】
表（１０）で、n(1)PUCCH,i（ｉ＝０，１）は、表（９）のＰＵＣＣＨリソース０、１に対応するＰＵＣＣＨリソースインデックスを表す。ｂ（０）ｂ（１）は、表（９）の複素変調値に対応するビット値を表す（表（２Ａ）のＱＰＳＫ変調を参照）。
【００８２】
表（１０）を参照すると、端末は基地局から一つ以上のＰＤＳＣＨを受信した後、それに対応するＨＡＲＱ−ＡＣＫ(０)(１)を生成する。端末は、ＨＡＲＱ−ＡＣＫ(０)(１)に対応するＰＵＣＣＨリソース（例えば、n(1)PUCCH,i）を選択し、選択されたＰＵＣＣＨリソースを用いて対応するビット値（あるいは変調値）を基地局に伝送する。
【００８３】
表（１１）には、３ビットＡ／Ｎチャネル選択のためのマッピングテーブルを例示する。３ビットＡ／Ｎチャネル選択は、２個のサービングセルまたは３個のサービングセルが束ねられた場合に該当する。２個のサービングセルが束ねられた場合は、１個のＳＤＭセルと１個のＮｏｎ−ＳＤＭセルとが束ねられた場合である。２個のサービングセルが束ねられた場合に、ＨＡＲＱ−ＡＣＫ(０)(１)(２)に対応するセル及び伝送ブロックはＳＤＭ構成によって異なってくる。具体的に、ＳＤＭ ＰＣｅｌｌ＋Ｎｏｎ−ＳＤＭ ＳＣｅｌｌの場合に、ＨＡＲＱ−ＡＣＫ(０)(１)(２)はそれぞれ、ＰＣｅｌｌ ＴＢ１、ＰＣｅｌｌ ＴＢ２、ＳＣｅｌｌ ＴＢ１に対応する。また、Ｎｏｎ−ＳＤＭ ＰＣｅｌｌ＋ＳＤＭ ＳＣｅｌｌの場合に、ＨＡＲＱ−ＡＣＫ(０)(１)(２)はそれぞれ、ＳＣｅｌｌ ＴＢ１、ＳＣｅｌｌ ＴＢ２、ＰＣｅｌｌ ＴＢ１に対応する。すなわち、ＨＡＲＱ−ＡＣＫ(０)(１)(２)はそれぞれ、ＳＤＭセルＴＢ１、ＳＤＭセルＴＢ２、Ｎｏｎ−ＳＤＭセルＴＢ１に対応する。
【００８４】
【表１３】
0005926276.tif 000015
【００８５】
ＰＣｅｌｌがＳＤＭモードに設定された場合、ＰＵＣＣＨリソース０及び１はそれぞれ暗黙的にシグナリングされる。例えば、ＰＵＣＣＨリソース０及び１は、ＰＣｅｌｌのＰＤＳＣＨに対応するＤＬグラントＰＤＣＣＨを構成するＣＣＥ（例えば、それぞれ、最小ＣＣＥインデックス、最小ＣＣＥインデックス＋１）にリンク可能である（式（１）参照）。ＰＵＣＣＨリソース２は、ＳＣｅｌｌのＰＤＳＣＨに対応するＤＬグラントＰＤＣＣＨを構成するＣＣＥ（例えば、最小ＣＣＥインデックス）とリンクされてもよく（例えば、クロス−ＣＣスケジューリングの場合）、ＲＲＣにより明示的にシグナリングされてもよい（例えば、ノンクロス−ＣＣスケジューリングの場合）。
【００８６】
一方、ＰＣｅｌｌがＮｏｎ−ＳＤＭモードに設定された場合、ＰＵＣＣＨリソース２は、ＰＣｅｌｌのＰＤＳＣＨに対応するＤＬグラントＰＤＣＣＨを構成するＣＣＥ（例えば、最小ＣＣＥインデックス）にリンク可能である。ＰＵＣＣＨリソース０及び１は、ＳＣｅｌｌのＰＤＳＣＨに対応するＤＬグラントＰＤＣＣＨを構成するＣＣＥ（例えば、最小ＣＣＥインデックス、最小ＣＣＥインデックス＋１）にリンクされてもよく（例えば、クロス−ＣＣスケジューリングの場合）、ＲＲＣにより明示的にシグナリングされてもよい（例えば、ノンクロス−ＣＣスケジューリングの場合）。
【００８７】
ＬＴＥ ＰＵＣＣＨフォーマット１ｂを支援するために（ＰＣｅｌｌがＳＤＭの場合におけるＬＴＥフォールバック）、ＡＣＫ／ＡＣＫ／ＤＴＸ（Ａ／Ａ／Ｄ）状態はＰＵＣＣＨリソース０の−１にマッピングされ、ＮＡＣＫ／ＮＡＣＫ／ＤＴＸ（Ｎ／Ｎ／Ｄ）状態はＰＵＣＣＨリソース０の＋１にマッピングされる。また、ＰＵＣＣＨフォーマット１ａを支援するために（ＰＣｅｌｌがＮｏｎ−ＳＤＭの場合におけるＬＴＥフォールバック）、ＤＴＸ／ＤＴＸ／ＡＣＫ（Ｄ／Ｄ／Ａ）状態はＰＵＣＣＨリソース２の−１にマッピングされ、ＤＴＸ／ＤＴＸ／ＮＡＣＫ（Ｄ／Ｄ／Ｎ）状態はＰＵＣＣＨリソース２の＋１にマッピングされる。
【００８８】
表（１２）は、表（１１）のマッピングテーブルを別の形態に整理したものである。
【００８９】
【表１４】
0005926276.tif 000016
【００９０】
表（１２）で、n(1)PUCCH,i（ｉ＝０，１，２）は、表（１１）のＰＵＣＣＨリソース０、１、２に対応するＰＵＣＣＨリソースインデックスを表す。ｂ（０）ｂ（１）は、表（１１）の複素変調値に対応するビット値を表す（表（２Ａ）のＱＰＳＫ変調参照）。
【００９１】
表（１２）を参照すると、端末は基地局から一つ以上のＰＤＳＣＨを受信した後、それに対応するＨＡＲＱ−ＡＣＫ(０)(１)(２)を生成する。端末は、ＨＡＲＱ−ＡＣＫ(０)(１)(２)に対応するＰＵＣＣＨリソース（例えば、n(1)PUCCH,i）を選択し、選択されたＰＵＣＣＨリソースを用いて対応するビット値（あるいは変調値）を基地局に伝送する。
【００９２】
表（１３）には、４ビットＡ／Ｎチャネル選択のためのマッピングテーブルを例示する。４ビットＡ／Ｎチャネル選択は、２〜４個のサービングセルが束ねられた場合である。例えば、２個のＳＤＭセルが束ねられた場合に、表（１３）においてＨＡＲＱ−ＡＣＫ(０)(１)(２)(３)はそれぞれ、ＰＣｅｌｌ ＴＢ１、ＰＣｅｌｌ ＴＢ２、ＳＣｅｌｌ ＴＢ１、ＳＣｅｌｌ ＴＢ２に対応する。
【００９３】
【表１５】
0005926276.tif 000017
【００９４】
ＳＤＭ ＰＣｅｌｌ＋ＳＤＭ ＳＣｅｌｌを仮定する場合に、ＰＵＣＣＨリソース０及び１はそれぞれ暗黙的にシグナリング可能である。例えば、ＰＵＣＣＨリソース０及び１は、ＰＣｅｌｌのＰＤＳＣＨに対応するＤＬグラントＰＤＣＣＨを構成するＣＣＥ（例えば、それぞれ最小ＣＣＥインデックス、最小ＣＣＥインデックス＋１）にリンク可能である（式（１）参照）。ＰＵＣＣＨリソース２及び３は、ＳＣｅｌｌのＰＤＳＣＨのためのＤＬグラントＰＤＣＣＨを構成するＣＣＥ（例えば、それぞれ最小ＣＣＥインデックス、最小ＣＣＥインデックス＋１）にリンクされてもよく（例えば、クロス−ＣＣスケジューリングの場合）、ＲＲＣにより明示的にシグナリングされてもよい（例えば、ノンクロス−ＣＣスケジューリングの場合）。
【００９５】
ＬＴＥ ＰＵＣＣＨフォーマット１ｂを支援するために（ＬＴＥフォールバック）、ＡＣＫ／ＡＣＫ／ＤＴＸ／ＤＴＸ（Ａ／Ａ／Ｄ／Ｄ）状態はＰＵＣＣＨリソース０の−１にマッピングされ、ＮＡＣＫ／ＮＡＣＫ／ＤＴＸ／ＤＴＸ（Ｎ／Ｎ／Ｄ／Ｄ）状態はＰＵＣＣＨリソース０の＋１にマッピングされる。
【００９６】
表（１４）は、表（１３）のマッピングテーブルを別の形態に整理したものである。
【００９７】
【表１６】
0005926276.tif 000018
【００９８】
表（１４）で、n(1)PUCCH,i（ｉ＝０，１，２，３）は、表（１３）のＰＵＣＣＨリソース０，１，２，３に対応するＰＵＣＣＨリソースインデックスを表す。ｂ（０）ｂ（１）は、表（１３）の複素変調値に対応するビット値を表す（表（２Ａ）のＱＰＳＫ変調を参照）。n(1)PUCCH,i（ｉ＝０，１，２，３）は、サービングセルの構成状況によって異なってくる。例えば、ＰＣｅｌｌが単一の伝送ブロック伝送を支援する伝送モードに設定された場合に、n(1)PUCCH,0は、ＰＣｅｌｌのＰＤＳＣＨに対応するＰＤＣＣＨを構成する１番目のＣＣＥインデックスとリンク可能である（式（１）参照）。この場合、n(1)PUCCH,i（ｉ＝０，１，２，３）は、ＨＡＲＱ−ＡＣＫ(１)(２)(３)に対応するＳＣｅｌｌのＰＤＳＣＨに対応するＰＤＣＣＨを構成する１番目のＣＣＥインデックス（及び２番目のＣＣＥインデックス）とリンクされてもよく（例えば、クロス−ＣＣスケジューリングの場合）、上位層により明示的に与えられてもよい（例えば、ノンクロス−ＣＣスケジューリングの場合）。また、ＰＣｅｌｌが最大２つの伝送ブロック伝送を支援する伝送モードに設定された場合、n(1)PUCCH,0及びn(1)PUCCH,1はそれぞれ、ＰＣｅｌｌのＰＤＳＣＨに対応するＰＤＣＣＨを構成する１番目のＣＣＥインデックス及び２番目のＣＣＥインデックスとリンク可能である。この場合、n(1)PUCCH,2及びn(1)PUCCH,3は、ＨＡＲＱ−ＡＣＫ(２)(３)に対応するＳＣｅｌｌのＰＤＳＣＨに対応するＰＤＣＣＨを構成する１番目のＣＣＥインデックス（及び２番目のＣＣＥインデックス）とリンクされてもよく（例えば、クロス−ＣＣスケジューリングの場合）、上位層により明示的に与えられてもよい（例えば、ノンクロス−ＣＣスケジューリングの場合）。
【００９９】
表（１４）を参照すると、端末は基地局から一つ以上のＰＤＳＣＨを受信した後、それに対応するＨＡＲＱ−ＡＣＫ(０)(１)(２)(３)を生成する。端末は、ＨＡＲＱ−ＡＣＫ(０)(１)(２)(３)に対応するＰＵＣＣＨリソース（例えば、n(1)PUCCH,i）を選択し、選択されたＰＵＣＣＨリソースを用いて対応するビット値（あるいは変調値）を基地局に伝送する。
【０１００】
＜ＳＰＳ時のＡ／Ｎチャネル選択＞
【０１０１】
動的スケジューリング時のＡＣＫ／ＮＡＣＫ（Ａ／Ｎ）チャネル選択方式は、ＭＩＭＯモード（すなわち、ＳＤＭモード）に設定されたセルでＰＤＣＣＨを受ける場合に、一つのＰＤＣＣＨから２個の動的Ａ／ＮＰＵＣＣＨリソースを誘導し得ると仮定する。そのため、２個のＤＬ ＣＣが束ねられていても、ＰＣｅｌｌがＭＩＭＯモード（すなわち、最大ｍ（ｍ≧２）個の伝送ブロック伝送を支援する伝送モードに設定される）に設定され、ＳＣｅｌｌがＮｏｎ−ＭＩＭＯモード（すなわち、最大１個の伝送ブロック伝送を支援する伝送モードに設定される）に設定されている場合には、３ビットチャネル選択マッピングを用いてＡＣＫ／ＮＡＣＫをフィードバックすることができる（例えば、表（１１）及び表（１２）参照）。
【０１０２】
しかしながら、ＳＰＳが活性化する場合に、端末は特定サブフレーム（例えば、ＳＰＳサブフレーム）のＰＣｅｌｌでＰＤＣＣＨ無しでＰＤＳＣＨを受信することができるため、前述の仮定（すなわち、ＭＩＭＯモードに設定されたセルでＰＤＣＣＨを受ける場合に、一つのＰＤＣＣＨから２個の動的Ａ／Ｎ ＰＵＣＣＨリソースを誘導）を適用することができない。従来では、表（５）を参照して説明した通り、ＳＰＳ ＡＣＫ／ＮＡＣＫの伝送のためのＰＵＣＣＨリソースを上位層シグナリングで構成し、実際に用いられたＰＵＣＣＨリソースとしては、ＳＰＳ活性化ＰＤＣＣＨを用いた一つのリソースのみ割り当てられた。また、ＳＰＳ解除ＰＤＣＣＨは１個のＣＣＥで構成されることが一般的であるため、ＳＰＳ解除ＰＤＣＣＨを受信する場合に１個の動的Ａ／Ｎ ＰＵＣＣＨリソースしか誘導できない。そのため、セルのＭＩＭＯ／Ｎｏｎ−ＭＩＭＯの構成によらず、従来ではＳＰＳ ＡＣＫ／ＮＡＣＫのためには一つのＰＵＣＣＨリソースのみ使用可能だった。しかし、表（１１）〜表（１４）のＡ／Ｎチャネル選択用マッピングテーブルは、ＭＩＭＯセルの場合には２つのＰＵＣＣＨリソースが誘導できるという仮定の下に設計された。したがって、ＭＩＭＯセルにＳＰＳサブフレームが存在する場合に、ＳＰＳサブフレームに対するＡＣＫ／ＮＡＣＫフィードバック動作は、例えば、表（１１）〜表（１４）のＰＵＣＣＨリソース１（n(1)PUCCH,1）と関連して問題が発生する。すなわち、ＭＩＭＯに設定されたサービングセルで下りリンクＳＰＳ動作を行う場合に、Ａ／Ｎチャネル選択方式のためのＰＵＣＣＨリソース割当が問題となる。
【０１０３】
以下、ＭＩＭＯに設定されたサービングセルで下りリンクＳＰＳ動作を行う場合に、Ａ／Ｎチャネル選択方式を行う種々の方案を提案する。便宜上、ＳＰＳ ＰＤＳＣＨと区別するために、動的スケジューリングにより受信されたＰＤＳＣＨを動的ＰＤＳＣＨまたはノーマルＰＤＳＣＨと称する。動的ＰＤＳＣＨには対応するＰＤＣＣＨが存在するが、ＳＰＳ ＰＤＳＣＨには対応するＰＤＣＣＨが存在しない。動的ＰＤＳＣＨに対応するＰＤＣＣＨについてはＣＲＣをＣ−ＲＮＴＩでマスキングすることができる。
【０１０４】
以下の説明で、ＳＰＳ ＰＤＳＣＨはＰＣｅｌｌを通じてのみ伝送されるように制限することができる。また、ＰＣｅｌｌのＭＩＭＯ／Ｎｏｎ−ＭＩＭＯの設定によらず、ＳＰＳ ＰＤＳＣＨは最大１つの伝送ブロックのみを伝送するように制限することができる。
【０１０５】
〔方案１〕
この方案は、端末がＮビット（例えば、Ｎ＝３または４）Ａ／Ｎチャネル選択を行うように設定された状態で、ＳＰＳ ＰＤＳＣＨがＭＩＭＯモードに設定されたサービングセルを通じて受信される場合に、ＳＰＳ ＰＤＳＣＨが受信されるサブフレームに対するＡＣＫ／ＮＡＣＫフィードバックのためにＮ−１ビットＡ／Ｎチャネル選択を行うことを提案する。基地局と端末とがＳＰＳ ＰＤＳＣＨのためのサブフレーム（すなわち、ＳＰＳサブフレーム）を相互に知っているから、ＳＰＳ ＰＤＳＣＨの受信されたサブフレームで動的にＡ／Ｎチャネル選択方式に用いられるＡＣＫ／ＮＡＣＫビット数を変えても、基地局と端末間にチャネル選択のためのマッピングテーブルに関する誤解及びそれによるエラーが発生しない。この場合、ＳＰＳ ＡＣＫ／ＮＡＣＫのために予約されたＰＵＣＣＨリソースを、Ｎ−１ビット用のマッピングテーブルにおいてＰＣｅｌｌのためのリソースにマッピングすることができる。例えば、Ａ／Ｎチャネル選択のためのマッピングテーブルが４ビットテーブル（例えば、表（１３）及び表（１４））から３ビットテーブル（例えば、表（１１）及び表（１２））に変更される場合に、ＳＰＳ ＡＣＫ／ＮＡＣＫのために予約されたＰＵＣＣＨリソースは、表（１１）及び表（１２）でＰＵＣＣＨリソース２（例えば、n(1)PUCCH,2）として用いられることが可能である。
【０１０６】
具体的に、ＰＣｅｌｌがＭＩＭＯモードに設定され、ＳＣｅｌｌがＮｏｎ−ＭＩＭＯモードに設定された場合に、端末は、３ビットＡ／Ｎチャネル選択を行うように設定される（例えば、表（１１）及び表（１２）参照）。ただし、ＭＩＭＯセル（すなわち、ＰＣｅｌｌ）でＳＰＳ ＰＤＳＣＨが受信される場合に、ＳＰＳ ＰＤＳＣＨが存在するサブフレーム（すなわち、ＳＰＳサブフレーム）の伝送ブロックに対するＡＣＫ／ＮＡＣＫフィードバックを、２ビットＡ／Ｎチャネル選択により行うことができる（例えば、表（９）及び表（１０）参照）。例えば、ＳＰＳ ＡＣＫ／ＮＡＣＫ伝送のために上位層シグナリング（例えば、ＲＲＣシグナリング）によりあらかじめ予約された１個のＰＵＣＣＨリソース、及びＳＣｅｌｌ ＰＤＳＣＨに対応するＰＤＣＣＨから誘導された１個のＰＵＣＣＨリソースを用いて、２ビットＡ／Ｎチャネル選択が行われる。一方、ＳＰＳ ＰＤＳＣＨがないサブフレーム（ノンＳＰＳサブフレーム）の伝送ブロックに対するＡＣＫ／ＮＡＣＫフィードバックは、元の通り、３ビットＡ／Ｎチャネル選択により行われる。例えば、ＰＣｅｌｌ ＰＤＳＣＨに対応するＰＤＣＣＨから誘導された２個のＰＵＣＣＨリソース、及びＳＣｅｌｌ ＰＤＳＣＨに対応するＰＤＣＣＨから誘導された１個のＰＵＣＣＨリソースを用いて３ビットＡ／Ｎチャネル選択を行えばよい。
【０１０７】
他の例として、ＰＣｅｌｌがＭＩＭＯモードに設定され、且つＳＣｅｌｌがＭＩＭＯモードに設定された場合に、端末は、４ビットＡ／Ｎチャネル選択を行うように設定される（例えば、表（１３）及び表（１４）参照）。ただし、ＭＩＭＯセル、好ましくはＭＩＭＯ ＰＣｅｌｌでＳＰＳ ＰＤＳＣＨが受信される場合に、ＳＰＳ ＰＤＳＣＨの存在するサブフレームの伝送ブロックに対するＡＣＫ／ＮＡＣＫ情報は、３ビットＡ／Ｎチャネル選択によりフィードバックされる（例えば、表（１１）及び表（１２）参照）。例えば、ＳＰＳ ＡＣＫ／ＮＡＣＫ伝送のために上位層シグナリング（例えば、ＲＲＣシグナリング）によりあらかじめ予約された１個のＰＵＣＣＨリソース、及びＳＣｅｌｌ ＰＤＳＣＨに対応するＰＤＣＣＨから誘導された２個のＰＵＣＣＨリソースを用いて３ビットＡ／Ｎチャネル選択を行うことができる。一方、ＳＰＳ ＰＤＳＣＨがないサブフレームの伝送ブロックに対するＡＣＫ／ＮＡＣＫフィードバックは、元の通り、４ビットＡ／Ｎチャネル選択方式により行うことができる。例えば、ＰＣｅｌｌ ＰＤＳＣＨに対応するＰＤＣＣＨから誘導された２個のＰＵＣＣＨリソース、及びＳＣｅｌｌ ＰＤＳＣＨに対応するＰＤＣＣＨから誘導された２個のＰＵＣＣＨリソースを用いて４ビットＡ／Ｎチャネル選択を行うことができる。
【０１０８】
図９には、本発明の一実施例に係るＡＣＫ／ＮＡＣＫフィードバック過程を例示する。
【０１０９】
図９を参照すると、基地局と端末とがセル構成、ＳＰＳ構成、ＡＣＫ／ＮＡＣＫフィードバック方式を設定することができる（Ｓ９０２）。セル構成のための情報は、例えば、束ねられたセルの個数、各セルの伝送モードを含む。ＳＰＳ構成のための情報は、例えば、ＳＰＳ ＰＤＳＣＨが伝送されるサブフレーム（すなわち、ＳＰＳサブフレーム）を指示する情報（例えば、サブフレーム間隔、サブフレームオフセット）、ＳＰＳ ＡＣＫ／ＮＡＣＫのための複数のＰＵＣＣＨリソースを指示する情報を含むことができる。ＡＣＫ／ＮＡＣＫフィードバック方式はＡ／Ｎチャネル選択を含み、基地局から端末に明示的に指示されてもよく、セル構成情報などを用いて間接的に指示されてもよい。本例は、ＡＣＫ／ＮＡＣＫフィードバック方式としてＮビットＡ／Ｎチャネル選択が設定されたとする。
【０１１０】
その後、端末は基地局からＳＰＳ活性化ＰＤＣＣＨを受信する（Ｓ９０４）。ＳＰＳ活性化ＰＤＣＣＨ（表（３））は、ＳＰＳ構成過程で割り当てられた複数のＰＵＣＣＨリソースのうち一つのＰＵＣＣＨリソースを指示することができる。続いて、端末は基地局から一つ以上のＰＤＳＣＨを受信する（Ｓ９０６）。この一つ以上のＰＤＳＣＨは複数のサービングセルのうち一つ以上のサービングセルを通じて受信することができる。一つ以上のＰＤＳＣＨはＳＰＳ ＰＤＳＣＨ及び一つ以上の動的ＰＤＳＣＨのうち少なくとも一つを含むことができる。
【０１１１】
一つ以上のＰＤＳＣＨが受信された場合、端末はＡＣＫ／ＮＡＣＫフィードバックのためにＡ／Ｎチャネル選択を行う（Ｓ９０８）。本例で、端末は、ＮビットＡ／Ｎチャネル選択、またはＮ−１ビットＡ／Ｎチャネル選択を行う。具体的に、ＭＩＭＯ ＰＣｅｌｌでＳＰＳ ＰＤＳＣＨを受信した場合、端末はＡＣＫ／ＮＡＣＫフィードバックのためにＮ−１ビットＡ／Ｎチャネル選択を行うことができる。それ以外の場合（すなわち、Ｎｏｎ−ＭＩＭＯ ＰＣｅｌｌの場合、ＭＩＭＯ ＰＣｅｌｌでＳＰＳ ＰＤＳＣＨが受信されない場合など）は、端末はＡＣＫ／ＮＡＣＫフィードバックのためにＮビットＡ／Ｎチャネル選択を行うことができる。その後、端末はＡＣＫ／ＮＡＣＫ情報を、ＰＵＣＣＨを用いてフィードバックする（Ｓ９１０）。
【０１１２】
一方、ＳＰＳサブフレームにおいてＣ−ＲＮＴＩを有するＰＤＣＣＨが検出される場合に、ＳＰＳ ＰＤＳＣＨで伝送されるデータ（例えば、伝送ブロック）を、ＰＤＣＣＨにより指示されたＰＤＳＣＨを通じて伝送することができる（すなわち、オーバーライディング）。この場合、端末は、検出されたＰＤＣＣＨにより類推されたＰＵＣＣＨリソースを用いてＡＣＫ／ＮＡＣＫをフィードバックすることができる（すなわち、ＮビットＡ／Ｎチャネル選択）。しかし、端末が当該ＰＤＣＣＨ検出に失敗すると、基地局は、ＰＤＣＣＨに基づくＰＵＣＣＨリソースを用いてＡＣＫ／ＮＡＣＫがフィードバックされることを期待し（すなわち、ＮビットＡ／Ｎチャネル選択）、端末は、ＳＰＳ ＰＵＣＣＨリソースを用いてＡＣＫ／ＮＡＣＫフィードバックを伝送する（すなわち、Ｎ−１ビットＡ／Ｎチャネル選択）。この場合、Ａ／Ｎチャネル選択のために用いられるビット数とＰＵＣＣＨリソースとが異なるため、ＡＣＫ／ＮＡＣＫを正確にフィードバックすることができなくなる。
【０１１３】
そこで、ＮビットＡ／Ｎチャネル選択が設定された場合に、基地局及び端末は、ＳＰＳサブフレーム（あるいはＳＰＳ ＴＴＩ）では常にＮ−１ビットＡ／Ｎチャネル選択を行うものの、ＰＣｅｌｌのためのＡＣＫ／ＮＡＣＫ情報には空間バンドリングを適用することができる。空間バンドリングとは、該当のサービングセルの伝送ブロックに対して論理−ＡＮＤ演算を適用することを意味する。したがって、それらの伝送ブロックに対する受信応答の結果がいずれもＡＣＫである場合に限ってＡＣＫがフィードバックされ、その他の場合にはＮＡＣＫがフィードバックされる。一方、空間バンドリングを行うことを、ＳＰＳサブフレームにおいてＣ−ＲＮＴＩでマスキングされたＰＤＣＣＨが検出された場合に限定することもできる。本方案によれば、ＰＣｅｌｌのＳＰＳサブフレームで動的ＰＤＳＣＨにより複数（例えば、２個）の伝送ブロックが受信されても、端末は、常に一つの伝送ブロックに対するＡＣＫ／ＮＡＣＫのみをフィードバックするのと同様に処理することができる。したがって、Ａ／Ｎチャネル選択時にＮビットテーブルに代えてＮ−１ビットテーブルを適用しても基地局と端末間に曖昧さが解消される。
【０１１４】
〔方案２〕
本方案は、端末がＡ／Ｎチャネル選択を用いてＡＣＫ／ＮＡＣＫを伝送するように設定された場合に、ＭＩＭＯセルでＳＰＳ ＰＤＳＣＨを受信すると、ＳＰＳにより予約された複数（例えば、２個）のリソースを用いてＡ／Ｎチャネル選択を行うことを提案する。本方案によれば、ＭＩＭＯセルでＳＰＳ ＰＤＳＣＨを受信してもＡ／Ｎチャネル選択時にＰＵＣＣＨリソース不足の問題が発生しない。したがって、Ｎｏｎ−ＳＰＳサブフレームで用いられたＡ／Ｎチャネル選択マッピングをＳＰＳサブフレームでそのまま利用できるという利点を有する。
【０１１５】
図１０に、本発明の一実施例に係るＡＣＫ／ＮＡＣＫフィードバック過程を例示する。
【０１１６】
図１０を参照すると、基地局と端末とがセル構成、ＳＰＳ構成、ＡＣＫ／ＮＡＣＫフィードバック方式を設定することができる（Ｓ１００２）。セル構成のための情報は、例えば、束ねられたセルの個数、各セルの伝送モードを含む。ＳＰＳ構成のための情報は、例えば、ＳＰＳ ＰＤＳＣＨの伝送されるサブフレーム（すなわち、ＳＰＳサブフレーム）を指示する情報（例えば、サブフレーム間隔、サブフレームオフセット）、ＳＰＳ ＡＣＫ／ＮＡＣＫのための複数のＰＵＣＣＨリソースを指示する情報を含むことができる。ＡＣＫ／ＮＡＣＫフィードバック方式は、Ａ／Ｎチャネル選択を含み、基地局から端末に明示的に指示されてもよく、セル構成情報などを通じて間接的に指示されてもよい。本例は、ＡＣＫ／ＮＡＣＫフィードバック方式がＮビットＡ／Ｎチャネル選択に設定されたとする。
【０１１７】
その後、端末は基地局からＳＰＳ活性化ＰＤＣＣＨを受信する（Ｓ１００４）。ＳＰＳ活性化ＰＤＣＣＨ（表（３））は、リソース指示情報を含む。続いて、端末は基地局から一つ以上のＰＤＳＣＨを受信する（Ｓ１００６）。この一つ以上のＰＤＳＣＨは複数のサービングセルのうち一つ以上のサービングセルを通じて受信することができる。一つ以上のＰＤＳＣＨは、ＳＰＳ ＰＤＳＣＨ及び一つ以上の動的ＰＤＳＣＨのうち少なくとも一つを含むことができる。
【０１１８】
一つ以上のＰＤＳＣＨが受信された場合に、端末はＡＣＫ／ＮＡＣＫフィードバックを伝送するためにＡ／Ｎチャネル選択を行う（Ｓ１００８）。本例で、端末は、図９の例示とは違い、常にＮビットＡ／Ｎチャネル選択を行う。ただし、ＳＰＳ ＰＤＳＣＨがＮｏｎ−ＭＩＭＯセルで受信される場合は、段階Ｓ１００４のリソース指示情報から一つのＰＵＣＣＨリソースが誘導され、ＳＰＳ ＰＤＳＣＨがＭＩＭＯセルで受信される場合は、リソース指示情報から複数（例えば、１対）のＰＵＣＣＨリソースが誘導される。リソース指示情報は単一値を指示することができる。その後、端末はＡＣＫ／ＮＡＣＫ情報を、ＰＵＣＣＨを用いてフィードバックする（Ｓ１０１０）。
【０１１９】
具体的に、ＭＩＭＯセル、好ましくは、ＭＩＭＯ ＰＣｅｌｌでＳＰＳ ＰＤＳＣＨを受信する場合に、ＳＰＳ ＰＤＳＣＨが受信されたＭＩＭＯセルのために複数（例えば、２個）のＰＵＣＣＨリソースを用いる方案として下記の方式を考慮することができる。
【０１２０】
‐ 基地局が合計４個のリソース対を占有／割当し、ＳＰＳ活性化ＰＤＣＣＨ信号内のリソース指示情報を用いて４個のＰＵＣＣＨリソース対のうち一つのリソース対を用いるようにすることができる。リソース指示情報は、ＳＰＳ活性化ＰＤＣＣＨのＴＰＣフィールドを通じて伝送される２ビット値（すなわち、４個の状態）にすることができる。具体的な方案は、下記の通りである。
【０１２１】
＜方式１＞
基地局は合計８個のＰＵＣＣＨフォーマット１ａ／１ｂリソース（ＰＵＣＣＨリソースと略す。）をあらかじめ占有／割当しておくことができる。８個のＰＵＣＣＨリソースをあらかじめ占有／割当することは、端末がＭＩＭＯモードに設定されている場合、あるいはＰＣｅｌｌがＭＩＭＯモードに設定されている場合に制限することができ、その他の場合は、４個のＰＵＣＣＨリソースをあらかじめ占有／割当することができる。他の方案として、基地局は合計８個のＰＵＣＣＨリソースをあらかじめ占有／割当しておき、ＳＰＳ ＰＤＳＣＨが伝送されるセル（例えば、ＰＣｅｌｌ）がＭＩＭＯモードか或いはＮｏｎ−ＭＩＭＯモードかによって動的にＰＵＣＣＨリソースを用いるようにすることもできる。基地局によりあらかじめ占有／割当されたＰＵＣＣＨリソースに関する情報は、上位層（例えば、ＲＲＣ）信号を用いて基地局から端末に伝達されるとよい。端末に８個のＰＵＣＣＨリソースを知らせる際に、８個のＰＵＣＣＨリソースをそれぞれ知らせてもよく、８個のＰＵＣＣＨリソース間に所定の関係（例えば、オフセット）が存在すると、一部のＰＵＣＣＨリソース（例えば、４個のＰＵＣＣＨリソース）のみを知らせ、残りのＰＵＣＣＨリソースを当該所定の関係（例えば、オフセット）から類推するようにしてもよい。その後、基地局が端末にＳＰＳ活性化ＰＤＣＣＨ信号を伝送するとき、リソース指示情報（例えば、ＴＰＣフィールドの２ビット値）を用いて合計８個のＰＵＣＣＨリソースのうち２個のリソースを用いることができる。例えば、基地局により合計８個のＰＵＣＣＨリソース（例えば、ｎ１，ｎ２，ｎ３，ｎ４，ｎ５，ｎ６，ｎ７，ｎ８）があらかじめ占有／割り当てられたとしよう。この場合、ＳＰＳ活性化ＰＤＣＣＨ内のリソース指示情報（例えば、２ビット値）を、（ｎ１，ｎ５）、（ｎ２，ｎ６）、（ｎ３，ｎ７）、または（ｎ４，ｎ８）のＰＵＣＣＨリソース対を指示するのに用いることができる。また、基地局（例えば、ＲＲＣ層）により割り当てられた８個のＰＵＣＣＨリソースは互いに排他的でもよく重複されてもよい。他の方案として、４対のＰＵＣＣＨリソース［例えば、（ｎ１，ｎ５）、（ｎ２，ｎ６）、（ｎ３，ｎ７）、（ｎ４，ｎ８）］がＲＲＣシグナリングにより割り当てられ、ＳＰＳ時に実際に用いられるＰＵＣＣＨリソース対がＳＰＳ活性化ＰＤＣＣＨのリソース指示情報（例えば、ＴＰＣフィールドの２ビット値）により指示されてもよい。
【０１２２】
ＰＣｅｌｌが最大１個の伝送ブロック伝送が可能な伝送モード（ＴＭ）に設定された場合（例えば、ＴＭ１、２、５、６、７）に、上位層（例えば、ＲＲＣ）により構成された４個のＰＵＣＣＨリソースのうち一つのＰＵＣＣＨリソースを、ＳＰＳ活性化ＰＤＣＣＨのリソース指示情報（例えば、ＴＰＣフィールドの２ビット値）から類推することができる。リソース指示情報（例えば、ＴＰＣフィールドの２ビット値）により指示されたＰＵＣＣＨリソースは、Ａ／Ｎチャネル選択用マッピングテーブルにおいてＰＣｅｌｌ用ＰＵＣＣＨリソースを代替することができる。
【０１２３】
ＰＣｅｌｌが最大２個の伝送ブロック伝送が可能な伝送モード（ＴＭ）に設定された場合（例えば、ＴＭ３、４、８、９）に、上位層（例えば、ＲＲＣ）により構成された８個のＰＵＣＣＨリソース（８個は互いに同一ても異なってもよい）あるいは４対のＰＵＣＣＨリソースのうち１対のＰＵＣＣＨリソースを、ＳＰＳ活性化ＰＤＣＣＨのリソース指示情報（例えば、ＴＰＣフィールドの２ビット値）から類推することができる。リソース指示情報により類推された一対のＰＵＣＣＨリソースはＡ／Ｎチャネル選択用マッピングテーブルにおいてＰＣｅｌｌ用ＰＵＣＣＨリソース２個を代替することができる。
【０１２４】
＜方式２＞
基地局は合計４個のＰＵＣＣＨフォーマット１ａ／１ｂリソース（ＰＵＣＣＨリソースと略称する。）を、上位層（例えば、ＲＲＣ）シグナリングを通じて端末にあらかじめ割り当てることができる。ＲＲＣにより割り当てられた４個のリソースは互いに排他的でもよく重複してもよい。その後、ＳＰＳ時に実際に用いられる２個のＰＵＣＣＨリソースを、ＳＰＳ活性化ＰＤＣＣＨ信号のリソース指示情報（例えば、ＴＰＣフィールドの２ビット値）から類推することができる。例えば、端末に合計４個のＰＵＣＣＨリソース（例えば、ｎ1，ｎ2，ｎ3，ｎ4）が割り当てられたとする。この場合、ＳＰＳ活性化ＰＤＣＣＨのリソース指示情報（例えば、ＴＰＣフィールドの２ビット値）は、（ｎ1，ｎ2）、（ｎ2，ｎ3）、（ｎ3，ｎ4）または（ｎ4，ｎ1）のＰＵＣＣＨリソース対を指示することができる。他の例として、ＳＰＳ活性化ＰＤＣＣＨのリソース指示情報（例えば、ＴＰＣフィールドの２ビット値）は、（ｎ1，ｎ3）、（ｎ1，ｎ4）、（ｎ2，ｎ3）または（ｎ3，ｎ4）のＰＵＣＣＨリソース対を指示することができる。（ｎ1，ｎ2）、（ｎ2，ｎ3）、（ｎ3，ｎ4）、（ｎ4，ｎ1）のように、２個のＰＵＣＣＨリソースで構成された４個のＰＵＣＣＨリソース対がＲＲＣにより構成される場合に、各ＰＵＣＣＨリソース対のリソースを、Ａ／Ｎチャネル選択用マッピングテーブルにおいてＰＣｅｌｌ用ＰＵＣＣＨリソースに順次にマッピングすることができる。例えば、４ビットＡ／Ｎチャネル選択を用いたＡＣＫ／ＮＡＣＫフィードバック（例えば、表（１３）及び表（１４））で、ＳＰＳ活性化ＰＤＣＣＨのＴＰＣフィールドの値により（ｎ2，ｎ3）が指示されたとすれば、ｎ2、ｎ3リソースを、マッピングテーブルにおいてＰＵＣＣＨリソース０と１にそれぞれマッピングすることができる。本方式は、端末、好ましくは、ＰＣｅｌｌがＭＩＭＯモードに設定された場合にのみ適用可能である。
【０１２５】
〔方案３〕
本方案は、ＭＩＭＯ ＰＣｅｌｌでＳＰＳ ＰＤＳＣＨが受信された場合に、Ａ／Ｎチャネル選択方式において、ＰＣｅｌｌの１st ＰＵＣＣＨリソース（表（１１）及び表（１３）でＰＵＣＣＨリソース０に該当）として、ＳＰＳのために予約されたＰＵＣＣＨリソース（ＳＰＳ ＰＵＣＣＨと略称する。）（表（５）及び説明を参照）を使用し、ＰＣｅｌｌの２nd ＰＵＣＣＨリソース（表（１１）及び表（１３）でＰＵＣＣＨリソース１に該当）として、上位層（例えば、ＲＲＣ）シグナリングを通じて別途に割り当てられた明示的ＰＵＣＣＨリソースを使用することを提案する。例えば、ＰＣｅｌｌの２nd ＰＵＣＣＨリソースとしては、ＲＲＣシグナリングを通じて割り当てられた複数（例えば、４個）のリソースから一つを選択することができる。この場合、ＭＩＭＯ ＰＣｅｌｌでＳＰＳ ＰＤＳＣＨが受信された場合に、ＰＣｅｌｌの２nd ＰＵＣＣＨリソースとしては、ＳＣｅｌｌ ＰＤＳＣＨをスケジューリングするＰＤＣＣＨを通じてシグナリングされるＡＲＩ（例えば、ＴＰＣフィールドの値）を用いて決定することができる（例えば、表（７）参照）。
【０１２６】
一方、ＰＣｅｌｌがＭＩＭＯモードに設定され、且つノンＳＰＳサブフレームでＰＤＳＣＨが受信された場合に、ＰＣｅｌｌのための１st、２nd ＰＵＣＣＨリソース（例えば、表（１１）及び表（１３）でＰＵＣＣＨリソース０、１に該当）は、ＰＣｅｌｌのＰＤＳＣＨに対応するＤＬグラントＰＤＣＣＨを構成するＣＣＥ（例えば、それぞれ、最小ＣＣＥインデックス、最小ＣＣＥインデックス＋１）にリンク可能である（すなわち、暗黙的ＰＵＣＣＨリソース割当）（式（１）参照）。
【０１２７】
具体的に、ＰＣｅｌｌ、ＳＣｅｌｌ両方ともＭＩＭＯモードに設定されて４ビットＡ／Ｎチャネル選択が行われる場合（表（１３）及び表（１４）参照）に、クロス−ＣＣスケジューリングか否か及びＳＰＳサブフレームか否かによって下記のリソース割当方式を考慮することができる。ＰＣｅｌｌがＭＩＭＯ、ＳＣｅｌｌがＮｏｎ−ＭＩＭＯモードに設定されて３ビットＡ／Ｎチャネル選択が行われる場合（表（１１）及び表（１２）参照）のリソース割当については、下記においてＳＣｅｌｌ ２ndリソース部分を除外すればいい。
【０１２８】
１）クロス−ＣＣスケジューリングがイネーブリングされた場合
Ａ．ＳＰＳサブフレームでない場合
ｉ．ＰＣｅｌｌ １stリソース：ＰＣｅｌｌをスケジューリングするＰＤＣＣＨのｎCCEにリンクされた暗黙的ＰＵＣＣＨリソース
ii．ＰＣｅｌｌ ２ndリソース：ＰＣｅｌｌをスケジューリングするＰＤＣＣＨのｎCCE＋１にリンクされた暗黙的ＰＵＣＣＨリソース
iii ．ＳＣｅｌｌ １stリソース：ＳＣｅｌｌをスケジューリングするＰＤＣＣＨのｎCCEにリンクされた暗黙的ＰＵＣＣＨリソース
iv．ＳＣｅｌｌ ２ndリソース：ＳＣｅｌｌをスケジューリングするＰＤＣＣＨのｎCCE＋１にリンクされた暗黙的ＰＵＣＣＨリソース
Ｂ．ＳＰＳサブフレームの場合
ｉ．ＰＣｅｌｌ １stリソース：ＳＰＳ ＰＵＣＣＨリソース
ii．ＰＣｅｌｌ ２ndリソース：明示的ＰＵＣＣＨリソース
iii ．ＳＣｅｌｌ １stリソース：ＳＣｅｌｌをスケジューリングするＰＤＣＣＨのｎCCEにリンクされた暗黙的ＰＵＣＣＨリソース
iv．ＳＣｅｌｌ ２ndリソース：ＳＣｅｌｌをスケジューリングするＰＤＣＣＨのｎCCE＋１にリンクされた暗黙的ＰＵＣＣＨリソース
ｖ．ＳＣｅｌｌをスケジューリングするＰＤＣＣＨのＴＰＣフィールドをＡＲＩとして借用して明示的ＰＵＣＣＨを決定。例えば、ＡＲＩはＲＲＣによってあらかじめ割り当てられた４個のリソースのうち１個を指示する。
【０１２９】
２）クロス−ＣＣスケジューリングがディセーブリングされた場合
Ａ．ＳＰＳサブフレームでない場合
ｉ．ＰＣｅｌｌ １stリソース：ＰＣｅｌｌをスケジューリングするＰＤＣＣＨのｎCCEにリンクされた暗黙的ＰＵＣＣＨリソース
ii．ＰＣｅｌｌ ２ndリソース：ＰＣｅｌｌをスケジューリングするＰＤＣＣＨのｎCCE＋１にリンクされた暗黙的ＰＵＣＣＨリソース
iii ．ＳＣｅｌｌ １stリソース：明示的ＰＵＣＣＨリソース＃１
iv．ＳＣｅｌｌ ２ndリソース：明示的ＰＵＣＣＨリソース＃２
ｖ．ＳＣｅｌｌスケジューリングＰＤＣＣＨのＴＰＣフィールドをＡＲＩとして借用して明示的ＰＵＣＣＨリソース＃１、＃２を決定。例えば、ＡＲＩは、ＲＲＣによってあらかじめ割り当てられた８個のリソースのうち２個を指示する。
Ｂ．ＳＰＳサブフレームの場合
ｉ．ＰＣｅｌｌ １stリソース：ＳＰＳ ＰＵＣＣＨリソース
ii．ＰＣｅｌｌ ２ndリソース：明示的ＰＵＣＣＨリソース＃３
iii ．ＳＣｅｌｌ １stリソース：明示的ＰＵＣＣＨリソース＃１
iv．ＳＣｅｌｌ ２ndリソース：明示的ＰＵＣＣＨリソース＃２
ｖ．ＳＣｅｌｌスケジューリングＰＤＣＣＨのＴＰＣフィールドをＡＲＩとして借用して明示的ＰＵＣＣＨリソース＃１、＃２、＃３を決定。例えば、ＡＲＩは、ＲＲＣによってあらかじめ割り当てられた１２個のリソースのうち３個を指示する。
【０１３０】
図１１は、本発明に一実施例に適用され得る基地局及び端末を例示する。無線通信システムにリレーが含まれる場合に、通信は、バックホールリンクでは基地局とリレー間に行われ、アクセスリンクではリレーと端末間に行われる。そのため、図示の基地局または端末は状況によってリレーに代替されてもよい。
【０１３１】
図１１を参照すると、無線通信システムは、無線通信システムは、基地局（ＢＳ）１１０及び端末（ＵＥ）１２０を含む。基地局１１０は、プロセッサ１１２、メモリー１１４及び無線周波数（Ｒａｄｉｏ  Ｆｒｅｑｕｅｎｃｙ：ＲＦ）ユニット１１６を含む。プロセッサ１１２は、本発明で提案した手順及び／または方法を具現するように構成することができる。メモリー１１４は、プロセッサ１１２に接続し、プロセッサ１１２の動作と関連した様々な情報を記憶する。ＲＦユニット１１６は、プロセッサ１１２に接続し、無線信号を送信及び／または受信する。端末１２０は、プロセッサ１２２、メモリー１２４及びＲＦユニット１２６を含む。プロセッサ１２２は、本発明で提案した手順及び／または方法を具現するように構成することができる。メモリー１２４は、プロセッサ１２２に接続し、プロセッサ１２２の動作と関連した様々な情報を記憶する。ＲＦユニット１２６は、プロセッサ１２２に接続し、無線信号を送信及び／または受信する。基地局１１０及び／または端末１２０は、単一アンテナまたは多重アンテナを有することができる。
【０１３２】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲において明示的な引用関係にない請求項を結合して実施例を構成したり、出願後の補正により新しい請求項として含めたりすることができることは明らかである。
【０１３３】
本文書で、本発明の実施例は主に端末と基地局間のデータ送受信関係を中心に説明されている。本文書で基地局により行われるとした特定動作は、場合によっては、その上位ノードにより行われてもよい。すなわち、基地局を含む複数のネットワークノードからなるネットワークにおいて端末との通信のために行われる種々の動作は、基地局または基地局以外の別のネットワークノードにより実行され得ることは明らかである。基地局は、固定局、Ｎｏｄｅ Ｂ、ｅＮｏｄｅ Ｂ（ｅＮＢ）、アクセスポイントなどの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０１３４】
本発明に係る実施例は様々な手段、例えば、ハードウェア、ファームウェア、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１３５】
ファームウェアやソフトウェアによる具現の場合、本発明の一実施例は、以上で説明された機能または動作を行うモジュール、手順、関数などの形態とすることができる。ソフトウェアコードは、メモリユニットに記憶されて、プロセッサにより駆動される構成とすることができる。メモリユニットは、プロセッサの内部または外部に設けられて、既に公知の様々な手段によりプロセッサとデータを交換することができる。
【０１３６】
本発明は、本発明の特徴から逸脱しない範囲で別の特定の形態に具体化し得るということは、当業者にとっては自明である。したがって、上記の詳細な説明は、いずれの面においても制限的に解釈されてはならず、例示的なものとして考慮されなければならない。本発明の範囲は、添付の請求項の合理的な解釈により決定すべきであり、本発明の等価的範囲内における変更はいずれも本発明の範囲に含まれる。
【産業上の利用可能性】
【０１３７】
本発明は、端末、リレー、基地局などのような無線通信装置に利用可能である。
【図１】
0005926276.tif 000023
【図２】
0005926276.tif 000024
【図３】
0005926276.tif 000025
【図４】
0005926276.tif 000026
【図５】
0005926276.tif 000027
【図６】
0005926276.tif 000028
【図７】
0005926276.tif 000029
【図８】
0005926276.tif 000030
【図９】
0005926276.tif 000031
【図１０】
0005926276.tif 000032
【図１１】
0005926276.tif 000033